(57)【要約】データベースを構築する方法であって、複数のユーザが、個人関連データビット（ＩＤＢ）をコンピュータシステムに入力するのを可能にするステップであって、各々のＩＤＢが、前記ユーザに関する少なくとも１の個別識別子と、１又はそれ以上の関連する個人のデータと、関係の性質と、を具える関係データとを含むステップと、入力されたＩＤＢを処理して、ユーザのうちの１人か、関連する個人のうちの１人かのいずれかの、各々の識別された個人のための１つである、個人識別子データセット（ＩＤＳ）を生成し、識別された個人のＩＤＳを含むデータベースを構築するステップと、を具えている。【選択図】図１
2009524142.tif 000002
【特許請求の範囲】
【請求項１】
データベースを構築する方法において：
複数のユーザに、個人関連データビット（ＩＤＢ）のコンピュータシステムへの入力を許可するステップであって、各ＩＤＢが、前記ユーザに関する少なくとも１の個人識別子と、１又はそれ以上の関連する個人データと、関係の性質とを具える関係データを具えるステップと；
前記入力されたＩＤＢを処理して個人識別子データセット（ＩＤＳ）を生成するステップであって、各識別された個人についての１つのＩＤＢが、前記ユーザのうちの１人か、前記関連する個人データのうちの１つのいずれかであって、識別された個人のＩＤＳを含むデータベースを構築するものであるステップと；
を具えることを特徴とする方法。
【請求項２】
データベースを構築する方法において：
コンピュータシステムの複数ユーザによって入力される複数の個人関連データビット（ＩＤＢ）を処理するステップであって、各々が、ユーザに関する少なくとも１の個人識別子と、１又はそれ以上の関連する個人データを含む関係データと、個人識別子データセット（ＩＤＳ）を得るための関係の性質と、を具え、各識別された個人についての１つのＩＤＢが前記ユーザのうちの１人か、前記関連する個人データのうちの１つのいずれかであって、関連ウェブにおける識別された個人とその位置についてのＩＤＳを含むデータベースを構築するステップとを具えることを特徴とする方法。
【請求項３】
請求項１又は２に記載の方法において、前記ＩＤＳが前記識別された個人データと、個人識別子と、前記個人のファミリメンバの関係データと、を具えることを特徴とする方法。
【請求項４】
請求項１乃至３のいずれか１項に記載の方法において、前記データベースが関連ウェブ中の識別された個人の位置に関するデータを具えることを特徴とする方法。
【請求項５】
請求項１乃至４のいずれか１項に記載の方法において、データベース中の複数のＩＤＳが、２又はそれ以上の異なる個人によって入力されたＩＤＢから構築されていることを特徴とする方法。
【請求項６】
請求項１乃至５のいずれか１項に記載の方法において、個人によってＩＤＢのエントリがあった時に１又はそれ以上の存在するＩＤＳを更新するステップを具えることを特徴とする方法。
【請求項７】
請求項１乃至６のいずれか１項に記載の方法において、前記処理ステップが、１又はそれ以上のその他の個人によって入力されたＩＤＢとの比較を通じて、個人によって入力された１又はそれ以上のＩＤＢを検証するステップを具えることを特徴とする方法。
【請求項８】
請求項１乃至６のいずれか１項に記載の方法において、前記処理ステップが、１又はそれ以上のその他の個人によって入力されたＩＤＢとの比較を通じて、ある個人の１又はそれ以上のＩＤＳの事項を検証するステップを具えることを特徴とする方法。
【請求項９】
請求項７又は８に記載の方法において、前記検証ステップが、１又はそれ以上のその他の個人から入力された関係データとの対応関係に基づいて、個人によって入力された１又はそれ以上のＩＤＢをスコア化して、１又はそれ以上の前記ＩＤＢ又は前記個人のＩＤＳについての信頼度スコアを得るステップを具えることを特徴とする方法。
【請求項１０】
請求項１乃至９のいずれか１項に記載の方法が、１又はそれ以上の識別された個人のＩＤＳについて全体の信頼度スコアを算出するステップを具えることを特徴とする方法。
【請求項１１】
請求項９又は１０に記載の方法が、前記信頼度スコア又は前記データベース中の当該信頼度スコアに基づく信頼度指標を含むステップを具えることを特徴とする方法。
【請求項１２】
請求項１０に記載の方法が、前記全体の信頼度スコア又は前記データベース中の当該信頼度スコアに基づく全体の信頼度指標を含むステップを具えることを特徴とする方法。
【請求項１３】
請求項９乃至１２に記載の方法が、前記信頼度スコアを前記ＩＤＳの各々と関連付けるステップを具えることを特徴とする方法。
【請求項１４】
請求項９乃至１３に記載の方法が、前記信頼度スコアを前記データベースのユーザにアクセス可能にするステップを具えることを特徴とする方法。
【請求項１５】
請求項９乃至１４に記載の方法が、前記個人についての前記信頼度スコアが、所定値に等しいか、所定値より大きい場合のみに、個人のＩＤＳを前記データベースに入力するステップを具えることを特徴とする方法。
【請求項１６】
請求項１乃至１５のいずれか１項に記載の方法において、前記処理ステップが各個人のファミリデータベースを構築するステップを具えることを特徴とする方法。
【請求項１７】
請求項１６に記載の方法において：
少なくとも２つの識別された第１の個人に対応させる少なくとも２つのＩＤＳを構築するステップと；
この対応する関係データにおいて、少なくとも１の同一の識別された個人を含む重複する関係データを有する少なくとも２つのＩＤＳを識別するステップと；
この少なくとも２つの関係データのピースを併合して、一の拡大した関係データレコードを構築するステップと；
を具えることを特徴とする方法。
【請求項１８】
請求項１７に記載の方法において：
少なくとも２つの識別された第１の個人に対応させる少なくとも２つのＩＤＳを構築するステップと；
この対応するファミリデータにおいて、少なくとも１の同一の識別された個人を含む重複するファミリデータを有する少なくとも２つのＩＤＳを識別するステップと；
この少なくとも２のファミリデータのピースを併合して、一の拡大した関係データレコードを構築するステップと；
を具えることを特徴とする方法。
【請求項１９】
請求項１８に記載の方法において：
ファミリデータベースと重複する総てのファミリデータベースを含む拡張したファミリデータベースであって、当該拡張したファミリデータベースの個人間の接続を識別するデータを含む総てのファミリデータベースを具える拡張したファミリデータベースを構築するステップを具えることを特徴とする方法。
【請求項２０】
請求項１乃至１９のいずれか１項に記載の方法が、前記関連ウェブ又はその部分における彼／彼女の位置に関する個人情報を表示するステップを具えることを特徴とする方法。
【請求項２１】
請求項２０に記載の方法において、前記情報の表示がグラフィカル表示を含むことを特徴とする方法。
【請求項２２】
請求項２０又は２１に記載の方法において、前記表示が前記個人のファミリ用のファミリツリーを表示するステップを具えることを特徴とする方法。
【請求項２３】
請求項１乃至２２のいずれか１項に記載の方法が、その他の個人によってＩＤＢのエントリがあった時に、個人に関連する１又はそれ以上のＩＤＳを更新するステップを具えることを特徴とする方法。
【請求項２４】
請求項２３に記載の方法が第１の個人に関する新しいデータ、前記ＩＤＳに含まれる１又はそれ以上の関連する個人データについての新しいデータ、によって、又は、１又はそれ以上の個人識別子と、関連する個人データについての関係データとを、前記ＩＤＳに加えることによって、前記第１の個人に関連するＩＤＳを更新するステップを具えることを特徴とする方法。
【請求項２５】
請求項３４及び２４に記載の方法が、コンピュータシステムに対して前記更新又は、前記第１の個人に関する電子アドレスを通知する電子通知を自動送信するステップを具えることを特徴とする方法。
【請求項２６】
請求項１乃至２５のいずれか１項に記載の方法であって、コンピュータネットワークのサーバユーティリティを具えるコンピュータシステム上で実行され、前記複数のユーザにコンピュータシステムを介してコンピュータネットワークに接続を許可するように構築されていることを特徴とする方法。
【請求項２７】
請求項２６の実施例に記載の方法において、前記コンピュータネットワークがインターネットであることを特徴とする方法。
【請求項２８】
請求項１乃至２７のいずれか１項に記載の方法が、個人が、関連する個人のＩＤＳの少なくとも一部分を再検討を許可するステップを具えることを特徴とする方法。
【請求項２９】
個人識別データレコードを構築する方法において：
複数の個人に、個人関連データビット（ＩＤＢ）のコンピュータシステムへの入力を許可にするステップであって、前記ＩＤＢが個人識別子と関係データとを具え、前記関係データが、１又はそれ以上の関連する個人データと、関係の性質とを具えるステップと；
前記ＩＤＢを処理し、ＩＤＢに含まれるデータを合併して、データを入力する個人又は関連する個人データのいずれかである、各識別された個人についての個人識別子データセット（ＩＤＳ）の形態で前記データレコードを生成するステップと；
を具え、前記ＩＤＳの各々が、識別された各個人用データの個人識別子と、関連する各個人データについての個人識別子及び関係データの両方を含む関連する個人のデータと、を具えることを特徴とする方法。
【請求項３０】
請求項２９に記載の方法において、前記ＩＤＳが２又はそれ以上の個人によって入力されるＩＤＢに基づいて構築されていることを特徴とする方法。
【請求項３１】
請求項２９又は３０に記載の方法が、１又はそれ以上の第２の個人によるＩＤＢのエントリがあった時に、第１の個人に関連するＩＤＳを更新するステップを具えることを特徴とする方法。
【請求項３２】
請求項３１に記載の方法において、前記更新ステップが、前記第１の個人に関する新しいデータ、前記ＩＤＳに含まれる１又はそれ以上の関連する新しい個人データ、１又はそれ以上の個人識別子、及び関連する個人の関係データを具えることを特徴とする方法。
【請求項３３】
請求項２９乃至３２のいずれか１項に記載の方法が、前記ＩＤＳに含まれる少なくとも個人識別子についての信頼度スコアを算出するステップを具えることを特徴とする方法。
【請求項３４】
個人間の関係を識別する方法において：
コンピュータデバイスを通じてネットワークへリンクできるユーザに、個人関連データビット（ＩＤＢ）のコンピュータシステムへの入力を許可するコンピュータネットワーク上で動作するコンピュータシステムを提供するステップであって、前記ＩＤＢの各々が個人識別子と、１又はそれ以上の関連する個人データと、関係の性質と、を含む関係データと、を具えるステップと；
ＩＤＢを処理して個人識別子データセット（ＩＤＳ）を生成するステップであって、各識別された個人のＩＤＳが前記ユーザのうちの１人か前記関連する個人のうちの１人かのＩＤＳであるステップと；
総ての前記ＩＤＳを総て処理して、識別された個人間の関係のタイプを規定する関係データを含むデータベースを構築するステップと；
を具えることを特徴とする方法。
【請求項３５】
請求項３４に記載の方法において、前記コンピュータネットワークがインターネットであることを特徴とする方法。
【請求項３６】
請求項３４又は３５に記載の方法において、前記関係データが１又はそれ以上の一親等又は更なる親等の家族メンバ、友人、知人、隣人、仕事の同僚又は仲間、個人が属する団体及び組織のメンバのデータを含むことを特徴とする方法。
【請求項３７】
請求項３４乃至３６のいずれか１項に記載の方法において、前記ＩＤＢが１又はそれ以上のその他の個人によって入力されたＩＤＢを通じて検証されることを特徴とする方法。
【請求項３８】
請求項３４乃至３６のいずれか１項に記載の方法において、前記ＩＤＳが１又はそれ以上のその他の個人によって入力されたＩＤＢを通じて検証されることを特徴とする方法。
【請求項３９】
請求項３７又は３８に記載の方法において、前記検証が１又はそれ以上のその他の個人によって入力された関係データとの対応に基づき、個人によって入力された１又はそれ以上のＩＤＢをスコア化し、１又はそれ以上の前記ＩＤＢ又は前記個人の前記ＩＤＳについての信頼度スコアを得るステップを具えることを特徴とする方法。
【請求項４０】
請求項３９に記載の方法が、前記信頼度スコアが、所定値と同一又は所定値よりも大きい場合、ＩＤＳを前記データベースに入力するステップを具えることを特徴とする方法。
【請求項４１】
請求項４０に記載の方法が、前記ＩＤＳ又はその一部分の前記信頼度スコアが所定値より小さい場合、前記ＩＤＳ又はその一部分を除外するステップを具えることを特徴とする方法。
【請求項４２】
請求項３４乃至４１のいずれか１項に記載の方法が、第２の個人によって入力された１又はそれ以上の関連する個人のデータが、第１の個人データ、又は当該第１の個人に関連するＩＤＳに含まれる関連する個人データを含んでいる場合に、前記第１の個人に関連するコンピュータデバイスに対して電子通知を自動送信するステップを具えることを特徴とする方法。
【請求項４３】
請求項３４乃至４２のいずれか１項に記載の方法が、ある個人に関連する個人データの前記ＩＤＳの少なくとも一部分の再検討することを許可するステップを具えることを特徴とする方法。
【請求項４４】
請求項４３に記載の方法が、前記ＩＤＳ又はその部分の再検討を許可する個人の基準を規定する能力を有する、識別された個人を提供するステップを具えることを特徴とする方法。
【請求項４５】
請求項４３又は４４に記載の方法が、前記ＩＤＳ又はその部分の再検討を許可しない個人の基準を規定する能力を有する、識別された個人を提供するステップを具えることを特徴とする方法。
【請求項４６】
請求項３４乃至４５のいずれか１項に記載の方法であって、識別された個人用のファミリツリーを構築するステップを具えることを特徴とする方法。
【請求項４７】
個人を関連付ける方法でにおいて：
ネットワークのユーザに、個人関連データビット（ＩＤＢ）の入力を許可するサーバシステムを提供するステップであって、各ＩＤＢが個人識別子と、１又はそれ以上の関連する個人のデータと、関係の性質と、を含む関係データと、を具えるステップと；
ＩＤＢを処理して個人識別子データセット（ＩＤＳ）を生成するステップであって、各識別された個人のＩＤＳが前記ユーザのうちの１人か前記関連する個人のうちの１人かのＩＤＳであるステップと；
前記ＩＤＳを総て処理して、前記個人と前記関連する個人との関係のタイプを規定する関係データを含むデータベースを構築するステップと；
を具えることを特徴とする方法。
【請求項４８】
請求項４７に記載の方法が更に：
識別された個人の各々に、１又はそれ以上のその関連する個人と関係するデータの検討を許可するステップを具えることを特徴とする方法。
【請求項４９】
請求項４８に記載の方法が更に：
１又はそれ以上の識別される個人に、関連する個人のコンタクト事項を提供するステップを具えることを特徴とする方法。
【請求項５０】
請求項４７乃至４９のいずれか１項に記載の方法が更に：
ある個人に関連する個人との通信を許可する手段を提供するステップを具えることを特徴とする方法。
【請求項５１】
請求項４７乃至５０のいずれか１項に記載の方法において、前記関連する個人が１又はそれ以上の一親等又は更なる親等の家族メンバ、友人、知人、隣人、仕事の同僚又は仲間、個人が属する団体及び組織のメンバ、同様の興味の範囲を共有する個人、を含むことを特徴とする方法。
【請求項５２】
請求項４７乃至５１のいずれか１項に記載の方法が、識別される個人であるユーザに、関連する個人データの詳細の再検討を許可するステップを具えることを特徴とする方法。
【請求項５３】
請求項４７乃至５２に記載の方法が、識別される個人であるユーザに対して、関連する個人データの情報を表示するステップを具えることを特徴とする方法。
【請求項５４】
請求項５３に記載の方法において、前記表示がグラフィカル表示を具えることを特徴とする方法。
【請求項５５】
請求項４７乃至５４のいずれか１項に記載の方法が、識別された個人を、１又はそれ以上の共通識別子を有する選択された個人の集団にグループ分するステップを具えることを特徴とする方法。
【請求項５６】
商品やサービスの販売を促進する方法が、分類された電子化宣伝資料を、請求項５５に記載の選択された個人の集団に電子的に交付するステップを具えることを特徴とする方法。
【請求項５７】
コンピュータネットワークのユーザ用仮想識別ドキュメント（ＶＩＤ）生成する方法であって、このＶＩＤによって、前記ユーザを当該ネットワークの他のユーザが識別できる方法であって：
前記ネットワークのユーザに個人関連データビット（ＩＤＢ）の入力を許可するサーバシステムを提供するステップであって、各ＩＤＢが個人識別子と、１又はそれ以上の関連する個人データと関係の性質とを含む関係データと、を具えるステップと；
前記ＩＤＢを処理して個人識別子データセット（ＩＤＳ）を生成するステップであって、識別された個人の各々のＩＤＢが、前記ユーザか前記関連する個人データのいずれかであるステップと；
各々のユーザについて、前記ユーザによって入力されたＩＤＢの少なくとも一部分を前記ネットワークの１又はそれ以上のその他のユーザによって入力された、１又はそれ以上のＩＤＢを通じて、前記ユーザによって入力されたＩＤＢの少なくとも一部分を検証して、前記ユーザについてのユーザ特有の検証されたＩＤＳを構築するステップと；
各ユーザにそのユーザ特有の検証ＩＤＳをそのＶＩＤとして使用することを許可するステップと；
を具えることを特徴とする方法。
【請求項５８】
請求項５７に記載の方法において、前記検証ステップが、ユーザによって入力された１又はそれ以上の前記ＩＤＢを、１又はそれ以上のその他のユーザによって入力されたＩＤＢと合致させて、ユーザのＶＩＤ用の信頼度スコアを得るステップを具えることを特徴とする方法。
【請求項５９】
請求項５８に記載の方法であって、前記信頼度スコアを前記ＶＩＤの一部として含めるステップを具えることを特徴とする方法。
【請求項６０】
コンピュータネットワーク上で通信する方法において、少なくとも１の第２通信ユーザに対して、仮想識別コード（ＶＩＤ）を送信する少なくとも１の第１通信ユーザを具え；前記ＶＩＤがこの少なくとも１の第１ユーザによって入力された個人関連データビット（ＩＤＢ）から生成され、前記ＩＤＢの各々が個人識別子と、１又はそれ以上の関連する個人データと、関係の性質と、を具える関係データと、を含み、前記ＩＤＢを処理して個人識別子データセット（ＩＤＳ）を生成し、前記ユーザか前記関連する個人のうちいずれかであり、各々の識別された個人のための１つである、前記ユーザによって入力された前記ＩＤＳの少なくとも一部分が、前記ネットワークの１又はそれ以上のその他のユーザによって入力された１又はそれ以上のＩＤＢを通じて検証され、このような検証後に前記ＩＤＳを基づいて前記ＶＩＤを生成することを特徴とする方法。
【請求項６１】
請求項６０に記載の方法において、前記検証ステップが、ユーザによって入力された１又はそれ以上の前記ＩＤＢを、１又はそれ以上のその他のユーザによって入力されたＩＤＢと合致させて、当該ユーザのＶＩＤ用の信頼度スコアを得るステップを具えることを特徴とする方法。
【請求項６２】
請求項６１に記載の方法が、前記信頼度スコアを前記ＶＩＤの一部分として含むステップを具えることを特徴とする方法。
【請求項６３】
コンピュータネットワーク上でトランザクションを行う方法において、このネットワークのユーザが、自身のアイデンティティを検証するための仮想識別コード（ＶＩＤ）を送信し、当該ＶＩＤがこの少なくとも１の第１ユーザによって入力される個人関連データビット（ＩＤＢ）から生成され、前記ＩＤＢの各々が個人識別子と、１又はそれ以上の関連する個人のデータと関係の性質とを具える関係データと、を含み、前記ＩＤＢを処理し、個人識別子データセット（ＩＤＳ）を生成し、各識別された個人のＩＤＳが前記ユーザか前記関連する個人データのいずれかであり、前記ユーザによって入力されたＩＤＳの少なくとも一部分が、前記ネットワークの１又はそれ以上のその他のユーザによって入力された１又はそれ以上のＩＤＢを通じて検証され、前記ＶＩＤを構築することを特徴とする方法。
【請求項６４】
請求項６３に記載の方法において、前記検証ステップが、ユーザによって入力された１又はそれ以上の前記ＩＤＢを、１又はそれ以上のその他のユーザによって入力されたＩＤＢと合致させて、ユーザのＶＩＤ用の信頼度スコアを得るステップを具えることを特徴とする方法。
【請求項６５】
請求項６４に記載の方法であって、前記信頼度スコアを前記ＶＩＤの一部分として含めるステップを具えることを特徴とする方法。
【請求項６６】
人口統計調査の方法において：
（ａ）請求項１乃至２８のいずれか１項に記載のデータベースを構築するステップと；
（ｂ）このデータベースから人口統計データを抽出するステップと；
を具えることを特徴とする方法。
【請求項６７】
請求項１乃至２８のいずれか１項の方法により生成されるデータベース。
【請求項６８】
コンピュータネットワーク上で動作するコンピュータシステムにおいて：
このネットワーク上で通信するクライアントによってアクセス可能な前記ネットワークにリンクされる１又はそれ以上のシステムサーバとを具え；
前記１又はそれ以上のサーバが、クライアントによって入力された複数の個人関連データビット（ＩＤＢ）を受信するように構築されており、当該ＩＤＢが個人識別子と関係データを含み、当該関係データが１又はそれ以上の関連する個人データと関係の性質とを具えて個人識別子データセット（ＩＤＳ）を生成し、各識別された個人データ用の１のＩＤＳが、前記ユーザか前記関連する個人データのいずれかであり、前記ＩＤＳを総て処理して、識別された個人のＩＤＳと、関連ウェブ中の当該個人の位置を含むデータベースを構築することを特徴とするシステム。
【請求項６９】
請求項６８に記載のシステムであって、請求項１乃至６７のいずれか１項に記載の方法を実行することを特徴とするシステム。
【発明の詳細な説明】
【技術分野】
【０００１】
本発明は個人のデータベースの構築とその使用に関する。特に、本発明はコンピュータネットワークにおいて構築され、用いられるようなデータベースに関する。
【背景技術】
【０００２】
インターネットは情報の通信と供給と検索の媒体として有用である。インターネットは個人が、共通の趣味、バックグラウンド等を有する人々からなるバーチャルコミュニティを形成し、関わっていく媒体にもなる。このようなバーチャルコミュニティに属するために、インターネットを「サーフィン」する個人は、一般的に特定のウェブサイトやレジスタを探すことを必要とする。自己入力プロファイルに基づいて、１又はそれ以上のコミュニティと個人を関連付けることができる（「コミュニティ」はファミリ関係を有する個人を含み、個人は共通の趣味を有し、個人がよく似た起源とバックグラウンドを有している等）インターネットベースの手段を有することは有用であろう。
【０００３】
インターネットは、個人が親族やいなくなった友人等を探すのに有用なツールであることも分かっている。これは適切なバーチャル掲示板上で投函する情報を要求し、適切なサーチエンジン等を使用する。しかしながら、これは相対的な機会のプロセスであり、所望の結果をもたらすとは限らない。このプロセスを能率的にすることは有用であろう。
【０００４】
背景情報は、以下の公報において見つけることができる。
【特許文献１】Ｇａｓｔｅｒらに対する米国特許第６，３７３，４８８号は、３次元ツリー構造のデータ表示を開示している。
【特許文献２】Ｇｒｏｓｓに対する米国特許第６，４１４，３２５号は、系統分析ツールを開示している。
【特許文献３】Ｇｕｐｔａらに対する米国特許第６，５１３，０５９号は、適応協調型知的ネットワークシステムを開示している。
【特許文献４】Ｃａｒｔｅｒに対する米国特許第６，５５３，３５０号は、マルチレベル製品中の製品や組織グループを評価する方法と装置を開示している。
【特許文献５】Ｅａｔｏｎに対する米国特許第６，５７０，５６７号は、系統情報の提示用のグラフィカルインタフェースを用いるためのシステムと方法を開示している。
【特許文献６】Ｒｉｐｌｅｙに対する米国特許第６，７４２，００１号は、階層データベース間のデータを共有するためのシステムと方法を開示している。
【特許文献７】Ｎｏｔａｒｇｉａｃｏｍｏらに対する米国特許第６，８８６，０１５号は、家系図を構築するための方法とシステムを開示している。
【発明の開示】
【発明が解決しようとする課題】
【０００５】
インターネット使用についての深刻な問題は、通信する個人の同一性を証明することが難しいという事実である。サーフィンする個人の同一性の証明におけるこの相対的な困難性は、インターネットを通して、商品及びサービスの購入を行う際に問題となる。「サーフィン」する個人の同一性を証明することの困難性は、本人以外の誰かになるべく名前を同定した、ある個人に対面する際にも深刻な問題となる。この性質の悪用は、インターネットチャットルームにおいて、デートサービスにおいて、及びその他の多数の場合において、深刻な問題となる。
【０００６】
本発明は、リンク及びネットワークをする個人のための新規方法とシステムを提供している。本発明によると、コンピュータネットワーク、排他的でないが、特にインターネットのユーザが、自身及び関連する個人のデータを入力することを許可するコンピュータシステムが提供され、選択的に、データの照合がその他の個人と、個人のデータベースと、ユーザ及びノンユーザと、それらの親族によって入力されて、構成されるコンピュータシステムに基づいている。本発明の方法とシステムは、以下に述べる異なる態様と実施例によって解明されるように、様々に異なる有用性を有している。
【課題を解決するための手段】
【０００７】
本明細書においては、単語「個人（ｉｎｄｉｖｉｄｕａｌ）」及び「人（ｐｅｒｓｏｎ）」は互換的に用いられている。用語「ユーザ（ｕｓｅｒ）」を用いて、以下に記載のシステムと方法を用い、入力データ又は本発明によって生成されるデータベースアイテムを入力あるいは見る個人を示している。
【０００８】
上に及び更に以下に用いるように、用語「ネットワーク（ｎｅｔｗｏｒｋ）」又は「コンピュータネットワーク（ｃｏｍｐｕｔｅｒ  ｎｅｔｗｏｒｋ）」は、多くのユーザが互いに通信し、情報やファイルを交換する等を許可する通信ネットワークを示している。このネットワークは排他的ではないが、特にインターネットである。例えば、このネットワークはイントラネットでもある。用語「ネットワーク」は複数のデータトランシーバ間でデータの伝達を許可する異なる形式の情報を含むように、広義に解釈すべきである。このネットワークは限定はされないが、コンピュータデバイス、例えばパーソナルコンピュータ又はハンドヘルドコンピュータが、データを入力及び／又は受け取るために用いられるインターネットのようなコンピュータネットワークを含み、データが例えば、可聴メニューの後に続いて、数字キーボードの使用を通して入力される電話通信網、ユーザがモバイル通信デバイスを用いて通信する携帯電話通信網、及びそれらの組合せにすることができる。
【０００９】
その態様のうちの１つによって、データベースを構築するための方法が提供され、複数のユーザが、個人関連データビット（ＩＤＢ）をコンピュータシステムに入力するのを許可するステップであって、各ＩＤＢが、前記ユーザに関する少なくとも１の個人識別子と、１又はそれ以上の関連する個人のデータと、関係の性質と、を含む関係データと、を含むステップと、ユーザのうちの１人か関連する個人のうちの１人かのいずれかの、各々の識別された個人のためのものである、個人識別子データセット（ＩＤＳ）を生成し、識別された個人のＩＤＳを含むデータベースを構築するために、入力されたＩＤＢを処理するステップと、を具えている。
【００１０】
別の態様によると、本発明は個人識別データレコードを構築する方法を提供し、コンピュータシステムの複数ユーザによって入力される複数の個人関連データビット（ＩＤＢ）を処理するステップであって、各々が、ユーザの少なくとも１の個人識別子と、１又はそれ以上の関連する個人のデータと、関係の性質と、を具える関係データと、を含み、前記ユーザのうちの１人か前記関連する個人のうちの１人かのいずれかの、各々の識別された個人のための１つである、１又はそれ以上の関連する個人及び個人識別子データセット（ＩＤＳ）の形式での前記データレコードを得るステップと、関連ウェブにおける識別された個人及び彼らの立場用のＩＤＳを含むデータベースを構築するステップと、を具えている。
【００１１】
上に及び更に以下に用いられる用語「許可する（ｐｅｒｍｉｔｔｉｎｇ）」は、個人に識別機能を実行するためのアクセスを提供していることを示している。これは、ある実施例により、コンピュータネットワーク上の１又はそれ以上の電子形式又はページからなるユーザインタフェースを広めることにすることもでき、個人はデータを入力することができる。ユーザインタフェースはＩＤＢの入力用のデータエントリフィールドを一般的に有している。このフィールドは、複数のオプションのうちの１つを選択又は生成することによって、フリーテキスト入力フィールドによって、等で、データをテキスト形式で入力できる固定フィールドを含むことができる。このようなフィールドは必須のフィールドと選択的なフィールドとを具えることができる。別の実施例によって、このフィールドは、データを含む電子ファイルを送信する能力をユーザに提供するステップを具えることができる。このような電子ファイルはネットワーク上で送信することができ、ＣＤ−ＲＯＭ、磁気ディスク、フラッシュカード等のような、他の適切な電子情報担体を通じてオフライン送信することができる。明らかなように、本発明はデータ入力の方法によって限定されない。
【００１２】
用語「個人関連データビット（ｉｎｄｉｖｉｄｕａｌ−ａｓｓｏｃｉａｔｅｄ  ｄａｔａ  ｂｉｔ）」又は「ＩＤＢ」は、データを入力する個人に関連するデータピース群を示している。各々のＩＤＢが特定の個人に対して独特にすることができ、ある程度の見込みで個人を識別することが可能で、個人識別子や関係データを含む最小限のデータセットを含むことができる。ＩＤＢは以下に規定するように、個人識別子と関係データの双方を具えている。ＩＤＢは、ファミリの履歴、ＩＤＢを見る他人の利益のためにデータ入力する個人によって入力される情報、及びデータを入力する個人が、彼／彼女に関するデータと結びつけられることを望む、一般的なあらゆる情報のような、その他のデータピースを含んでいても良い。
【００１３】
用語「個人識別子（ｐｅｒｓｏｎａｌ  ｉｄｅｎｔｉｆｉｅｒ）」は、個人のデータピースを示している。個人についての個人識別子は、その個人によって入力されるか、時にはＩＤＳを形成するために他のユーザによって入力される（以下に規定する）。個人識別子は、名前、住所、誕生日等のような形式的な識別子と、教養、職業、関心事、趣味、健康データ、血液型、組織型、遺伝子プロファイル、結婚歴等のようなその他の識別子と、を含んでいる。入力されたデータは、個人をある見込みの程度で連帯的に識別することができるデータの最小限の集合を一般的に具えている。前記最小限の集合は、一般的には特定の個人を他人から区別する識別子の組合せを含み、すなわち、このような個人を別の人と間違える機会は比較的低い。前記データの最小限の集合は、好ましくは個人識別子並びに関係データの双方に関して入力すべきである。このようなデータの最小限の集合は、一般的にファミリのデータ、すなわち、少なくとも個人のファミリに関するデータ、を含んでいる。
【００１４】
用語「関係データ（ｒｅｌａｔｉｏｎｓｈｉｐ  ｄａｔａ）」は、データ入力する個人と何らかの関係形態を有する個人に関するデータピースを示している。特定の例は、データ入力する個人と家族のつながりの形態を有するその他の個人を含んでいる。これらは、一親等の家族メンバ（両親、兄弟姉妹、配偶者、子供）並びにそれ以上（二親等、三親等など）の親等（祖父母、いとこ、姻戚等）を含むことができる。関係データに含まれる家族メンバは生存及び／又は死去していてもよい。更に、関係データは友人、知人、隣人、仕事の同僚又は仲間、個人が属する団体又は組織のメンバ、及びその他のものを含む、その他のタイプの関連した個人のデータを含んでいても良い。関係データは、関連した個人の形式的な識別子を含むことに加えて、過去及び／又は未来の関係はどうか等の関係の型に関するデータも含んでいる。
【００１５】
用語「個人識別子データセット（ｉｎｄｉｖｉｄｕａｌ−ｉｄｅｎｔｉｆｉｅｒ  ｄａｔａ  ｓｅｔ）」又は「ＩＤＳ」は、識別された個人に関係するデータセットを示している。個人によって入力されたＩＤＢを処理して、各々の識別された個人用のＩＤＳを生成する。ＩＤＳは、入力する個人によって入力され、選択的に異なって配置されるものに基づいたデータを含み、正確なデータ、すなわち、例えば内在する不整合を補正し、内在の不整合であり、不整合が解決できないデータを除去し、その他の個人によって入力されたＩＤＢに基づいて補正されたデータ（下を参照）、信頼度評価を各々のＩＤＢに与えること（下を参照）等の、初期処理されたデータにすることができる。基礎的な形態においては、ＩＤＳは個人ユーザによって入力されたＩＤＢに基づいている。実際に、ＩＤＳは、個人識別子が入力されたＩＤＢに含まれた場合、それぞれに識別された個人用に構築される。これは、データ入力した個人と、個人識別子がＩＤＢ間に含まれる場合にその他の識別された個人用のＩＤＳと、を含んでいる。初めに、ＩＤＳは単一個人ユーザによって入力されたＩＤＢに基づいて構築される。一旦それ以上のＩＤＢが異なるユーザによって入力されると、識別された個人のデータが他ユーザのＩＤＢ中にも入力されて含まれ、一旦処理されると、その識別された個人用のＩＤＳ中に含まれ、その識別された個人がまだシステムに含まれていない場合には新しいＩＤＳとなるか、又は、識別された個人の既存のＩＤＳへ追加される追加のデータとなるかのいずれかである。従って、識別された個人用のＩＤＳは、他の個人によって、適切なデータエントリに連続的に更新することができる。
【００１６】
ＩＤＢは、各々の識別された個人について明確な１対１の識別子用の十分な情報を含まないことは可能である。例えば、個人ＡのＩＤＢは、個人Ｂの名前及び個人Ａと個人Ｂとの間の関係の性質を含む個人識別子を有する個人Ｂの関係データを含むことができる。この情報は個人Ｂを明確に識別するには不十分である。同様に、個人Ｂのいくつかの個人識別子は、別の個人Ｃによって入力されるＩＤＢにも含まれている。従って、最初は２つの個別のＩＤＳが、個人Ｂのために形成されている。いったん、２つのＩＤＳが同一の個人Ａに属するように記録されると、それらに含まれるデータは１つのＩＤＳに統合される。
【００１７】
ＩＤＳは、２又はそれ以上の異なる個人によって入力されたＩＤＢから一般的に構築される。従って、本発明のある実施例によると、少なくとも１のＩＤＳ、好ましくは複数のＩＤＳが、２又はそれ以上の個人によって入力されるＩＤＢからそれぞれ構築される。更に下に記すように、ＩＤＳは、一般的には進行順に、新しく入力された関連ＩＤＢ（すなわち、更新されるＩＤＳと関連する識別された個人に関するデータを含むＩＤＢ）によって更新される。
【００１８】
「ＩＤＳに関連する個人（ｉｎｄｉｖｉｄｕａｌ  ａｓｓｏｃｉａｔｅｄ  ｗｉｔｈ  ｔｈｅ  ＩＤＳ）」又は「個人に関連するＩＤＳ（ＩＤＳ  ａｓｓｏｃｉａｔｅｄ  ｗｉｔｈ  ａｎ  ｉｎｄｉｖｉｄｕａｌ）」のようなフレーズ、又は同様の意味を有するその他のフレーズ中の用語「個人（ｉｎｄｉｖｉｄｕａｌ）」は、ＩＤＳの主体である個人（ＩＤＳの主要なレコードは、個人に関連している）を示すようにここでは用いられている。
【００１９】
用語「識別された個人（ｉｄｅｎｔｉｆｉｅｄ  ｉｎｄｉｖｉｄｕａｌ）」は、各個人に関係し、各個人のデータは１又はそれ以上の入力されたＩＤＢ中に含まれていた。これは、ユーザの入力されたＩＤＢに含まれるデータを入力した個人、及びユーザのいずれかの関連する個人を含んでいる。
【００２０】
用語「関連ウェブ（ｒｅｌａｔｉｏｎｓｈｉｐ  ｗｅｂ）」はノードとラインの仮想ウェブであり、各ノードは識別された個人のうちの１つとなり、関連ラインとなるライン（以下参照）は、関連ウェブにおいて各々のノードと、１又はそれ以上の他のノードと接続している。各々のこのようなラインは、２の個人の間の関連型を定義する識別子に関連づけられうる。用語「関連ウェブ」は、グラフィカルな意味にのみ解釈すべきではない。むしろ、関連ウェブは、ノード及びラインの表現又はその他のグラフィカル表現形式を含む、多くの異なる表現で表わされ、データテーブルの形式においては、コンピュータ等の内部で生成されるバーチャルウェブにすることができる。
【００２１】
用語「関連ライン（ｒｅｌａｔｉｏｎｓｈｉｐ  ｌｉｎｅ）」は、関連ウェブ中の個人間に直接関連リンクを規定するために用いられる（直接関連リンクは、例えば、一親等、個人的な友人、仕事の同僚等である）。従って、関連ウェブ中の個人間の距離は、多数の関連ラインによって規定することができる。例えば、友人の関連ウェブにおける個人への３本の関連ラインは友達の友達の友達を意味する。別の例として、ファミリツリーにおける個人に対する２又は３本の接続ラインは、それぞれ二親等（例えば、祖父母、孫、おじ、姻戚関係の兄弟姉妹等）又は三親等（いとこ、曽祖父母等）の家族のつながりを意味する。
【００２２】
別の態様によって、コンピュータネットワーク上で動作するコンピュータシステムが提供され、ネットワーク上を通信するクライアントによってアクセス可能なネットワークにリンクされた１又はそれ以上のシステムサーバであって、クライアントによって入力された複数の個人関連データビット（ＩＤＢ）を受け取るように構築された前記１又はそれ以上のサーバを具え、前記ＩＤＢは個人識別子と関係データとを含み、前記関係データは１又はそれ以上の関連する個人のデータ及び関係の性質を含み、ユーザのうちの１人か関連する個人の１人かのいずれかとなる、各々の識別した個人用のものである、個人識別子データセット（ＩＤＳ）を生成し、関連ウェブ中で、識別された個人及びその立場のＩＤＳを含むデータベースを構築するために総てのＩＤＳを処理している。
【００２３】
コンピュータシステムはインターネットのようなコンピュータネットワーク上で動作するのが好ましく、一般的には１又はそれ以上の適切に構築されたサーバを具え、ネットワークへリンクされている。個人はネットワークを通じてシステムにアクセスすることができる。
【００２４】
本発明のいくつかの実施例によると、関連ウェブはノード及びノード間のコネクタのような関連ウェブとして、ファミリツリー形式で構築され、与えられる。
【００２５】
この特許明細書中で用いられる用語「ファミリツリー（ｆａｍｉｌｙ  ｔｒｅｅ）」は、数人のデータベースと、少なくともあるファミリ関係とに関連するように、広義に解釈すべきである。ファミリツリーは、このような情報の多くの異なるグラフィカルな表現手段の１つにおいてグラフィカルに表現することができ、又は、コンピュータ内にデータレコードとして保存することができ（データレコードは各個人用の少なくとも１の識別子と、ファミリツリー中の１又はそれ以上の他の個人に対する１又はそれ以上のファミリ関係を含んでいる）、又は、その両方にすることができる。ファミリツリーは、接続ラインがファミリ関係を表わし、ノードがファミリツリーの個人（ここでは時々「ノード」としている）を表わすグラフ（グラフィカルに表現され、コンピュータ内の仮想表現にすることができる）と見なすこともできる。従って、用語「ファミリツリー」は、少なくとも親及び子ノードを具える階層構造中の１又はそれ以上のデータ保存場所を構成するためのモデルを含むように広義解釈すべきである。ツリーは例えば、１つの親と１つの子のように簡単なものと、保管場所に総てのデータをリンクする理論上の「単一ファミリツリー」のように複雑なもの、等のように複雑さが異なっており、２又はそれ以上のツリーが重複し、１のツリーが１又はそれ以上の他のツリーを完全に含んでいることを理解すべきである。
【００２６】
本発明のいくつかの実施例による関連ウェブは、併合及び拡張したファミリツリーを与えるために互いに併合されたファミリツリーを含むことができる。
【００２７】
データ入力する個人に関連するＩＤＳに後に含まれる、入力されたＩＤＢは、一旦データベースに含まれた場合、規定された状況下で個人のためになる個人データも含むことができる。例えば、このようなデータは血液型、組織適合性データ、遺伝子データ等にすることができる。手術、輸血又は別の非常時医療手順の場合においては、これが、適切な血液ドナー、組織等の迅速な探索を可能にする。別の例によると、個人的な興味、趣味又は業務、個人の履歴又は経歴等のような様々な個人記述子を入力する、一般的には専用のフィールドに挿入することによって、個人は、以下に説明する本発明の実施例によって、個人識別子と合致する他の個人と関連づけ、仮想コミュニティの一部にされる。仮想コミュニティのメンバになることは、アイデアの交換、調整活動、仕事の商取引のためのフォーラムとして適しているので、有益である。ＩＤＢへ入力されたデータは、コンピュータネットワーク上で同報通信され、他人と共有される情報を含むことができる。
【００２８】
ＩＤＳは、個人データレコードに関連する個人である、第１の個人のデータを含む主のデータレコードと、１又はそれ以上の第２の関連した個人、及び第１の個人に対する関連性（限定されないが、家族のつながりに対する）の性質の個人識別子を含む１又はそれ以上のサブレコードと、を一般的に含む個人データレコードである。サブレコードは、個人識別子及び関係データ以外のデータを含むことができ、あるいは、例えば、第２の個人のＩＤＳ中に含まれるこのようなデータに対するリンクを時々含むことができる。ＩＤＳが実際に、第１の個人のデータ、又は第１の個人に対する第２の個人の関係データを含む、複数のＩＤＢからのデータの合併生成物であることが、本発明のいくつかの実施例の固有の特性である。例えば、個人Ｂのいとこで、個人Ｃの兄弟である個人Ａが、名前と、個人Ｂ及びＣによって入力されるＩＤＢに含まれる可能な他の識別子を有することができる。従って、ＩＤＳは個人Ａ用に構成することができ、名前を含み、個人Ｂ及びＣによって入力された、ＩＤＢ中に含まれる個人Ａについての個人属性は、このようなＩＤＳのメインレコードに含むことができ、個人Ｂ及びＣをそれぞれ、いとこ及び兄弟と識別する、個人Ｂ及びＣに割り当てられるサブレコードも含んでいる。
【００２９】
ＩＤＢ起源データの処理は、１又はそれ以上の他の個人によって入力されたＩＤＢとの比較を通じて、個人によって入力される１又はそれ以上のＩＤＢの、１つの検証手順を具えることができる。１又はそれ以上の他の個人のＩＤＢ中に含まれるデータビットを通じて検証される、個人によって入力されたＩＤＢ間に含まれるデータビットは、非検証データビットよりも正確になることの高いアプリオリ確率を有している。更に、別の個人によって入力されたデータを通じて一個人のＩＤＢ中に含まれた多数のデータビットの検証は、入力されたデータの信頼性測定を提供し、従って、１又はそれ以上の他の個人のＩＤＢによって検証されなかったデータビットの検証の間接測定に役立っている。
【００３０】
検証プロセスは、個人のＩＤＢないし全体的なＩＤＢ中に含まれるデータビットに対する、つまり、それを基礎として、又はそれの一部分として生成されるＩＤＳに対する信頼度スコア、例えば、ＩＤＳに関連する個人の個人識別子に対する信頼度スコア、に基づくステップを具えることができる。信頼度スコアは、異なる個人によって入力されたＩＤＢ間での通信の度合に基づいている。ある実施例によると、信頼度スコアは個人によって入力される各々のデータピースに基づいている。別の実施例によると、ＩＤＳ又は少なくとも関連する個人の個人識別子に対する全体の信頼度スコアは、例えば、異なるＩＤＢの信頼度スコアに基づいて算出できる。信頼度スコアに影響を及ぼすことができるその他のファクタは、ＩＤＳ中に含まれる関連する個人の関係データの範囲、すなわち、識別される個人をその他の識別される個人にリンクする関連ラインの数、及びＩＤＳ中で識別される関連する個人の信頼度スコアを含んでいる。
【００３１】
本発明のある実施例により、信頼度スコア又はそれに基づく信頼度指標は、データベース中に含まれている。信頼度指標は、例えば悪ないし良の間で格付けすることができ、例えば１から１０まで等のスコアにすることができる。本発明の実施例により、このような信頼度スコアは、識別された個人のＩＤＳを再検討するユーザがアクセスできるようにし、ＩＤＳの信頼度の意味を得ることを可能にする。
【００３２】
本発明の実施例によると、識別された個人のＩＤＳは、所定値に等しい又は所定値よりも大きい場合のみ、データベースに含まれる。
【００３３】
ＩＤＳは次いで識別された個人のデータベースの基礎を形成している。データベースの重要な特徴は、関連ウェブ中の個人の立場も含むことであり、前記身分がいずれかの個人のリンクを通じて、他人を限定することができる。
【００３４】
ある実施例により、上述したようにノードと接続ラインの形態で表現することができる。図示した例によると、各ノードがいくつかの例えば、名前及び住所といった基礎的な識別子で示すことができ、次いで各ノードは特定の個人のより詳細な説明にハイパリンクすることができる。他の実施例によると、関連ウェブは、ファミリツリーを表わすための様々なグラフィカル表現手段の１つで表現することができる。調査するユーザは関連ウェブを通じて、例えば、カーソルを異なるノードへ移動させて、例えばノードを「クリック」することによって、ノード関係データ、すなわち、ＩＤＳ又はその一部分、を可能な限り調査することを通じて、「ナビゲート」することが可能になる。認識されるように、このようなナビゲーションモードは、限定されない図示の例だけである。
【００３５】
本発明のいくつかの実施例によって、関連ウェブは、調査するユーザを表すノードが、ユーザの関連するノードを総てのユーザの関連する個人に結びつけるラインの中心にあるように示すことができる。例えば、ファミリ関係の場合において、直接的なラインは一般的には一親等の関係と一般的に結合し、間接的なライン、すなわち別の個人を表す点を通じて至るラインは二又は更なる親等関係に結合することができ、例えば祖父母又は甥へのラインは、それぞれ両親及び兄弟姉妹を通じて結合するであろう。上述したようなこの表示方法は、限定するものではなく、むしろ図解例である。他の例によると、関連ウェブを通じてナビゲートすると、再検討の焦点となる個人は中心に表示される。さらに関連ウェブのグラフィック表示はまた、単に限定されない図解実施例である。例えば、個人に対する関連ウェブは異なるカテゴリのさまざまな関係をリストする表形式で示され、その述べた個人に対するハイパリンクを可能にする。
【００３６】
識別された個人に対する関連ウェブは、様々な異なるタイプの関係を含むことができる。あるタイプの関係はＩＤＢの一部分として入力され、ファミリである、現在の友人、仕事仲間、組織又は団体の共通メンバ、従業員、雇用主、仕事の同僚等と、過去の友人、仕事仲間、組織又は団体の共通メンバ、従業員、雇用主、仕事の同僚等を含むことができる。しかしながら、コンピュータシステムによって入力されうる他のタイプの関係もある。例えば、識別された個人が、ある範囲の興味、趣味を有する人として、特有のバックグラウンド又は起源を有する人等として識別される場合、関連ウェブを構築して、関心、興味、バックグラウンド、起源等の同一範囲を有する他の個人、又は包括的にあるグラフィック部位等とリンクした人を含むことができる。
【００３７】
個人のファミリが、ファミリメンバの識別子と他のファミリメンバと個人との関係の性質とを含む場合、一般的に、特定の個人のはっきりとした明白な識別を提供する。従って、本発明のある好ましい実施例によると、データベースを構築する方法が、複数の今ぴゅ＾他システムのユーザによって入力された複数の個人関連データビット（ＩＤＢ）を処理するステップであって、各々が個人識別子と、１又はそれ以上のファミリ関連の個人のデータと、関係の性質と、を含む関係データと、を具えて、前記ユーザのうちの１人か前記関連する個人のうちの１人かのいずれかの、各々の識別された個人のための１つである、１又はそれ以上の関連する個人及び個人識別子データセット（ＩＤＳ）を得るステップと、総てのＩＤＳを処理して、識別された個人のＩＤＳを具えるデータベースを構築するステップと、を具える。データベースは、ある実施例によると、関連ウェブ中の識別された個人の立場の表示も提供している。
【００３８】
ファミリウェブ中の異なる識別された個人は、異なるファミリ関係を有している。言い換えると、異なる個人のファミリ関係は、同一ファミリ内でさえも、互いに部分的な重複のみを有している。このような部分的な重複の長所によって、いったん、ある個人のファミリが、他人、及びその後に他人のファミリ等とリンクされると、これは最終的には本質的に包括的な関連ウェブを生ずる。
【００３９】
各々の第１の個人に対するＩＤＳが、第１の個人がいくつかの関係形態、特に、排他的ではないが、家族関係を有する他の第二の個人のデータを含んでいる。従って、各個人のＩＤＳは、関係データベース、特に前記第１の個人に関する、個人のファミリデータベースとみなされる。従って、少なくとも１の重複ノードを有する２又はそれ以上のＩＤＳは、互いに関連ウェブ、特にファミリツリーの合併の基盤を提供している。従って、態様の１つによって、本発明は、少なくとも２の識別される第１の個人に対応する少なくとも２のＩＤＳを構築するステップであって、各々のＩＤＳが、前記第１の個人と、１又はそれ以上の第２の識別された個人及び第１の個人との関係の性質と、の関係データレコードを具えるステップと、対応する関係データレコードに少なくとも１の同一と識別される個人を含む、重複した関係データレコードを有する少なくとも２のＩＤＳを識別するステップと、少なくとも２の関係データレコードを合併して、拡大した関係データレコードを構築するステップと、を具える方法を提供する。特定の実施例は、拡大した関係データレコードの構築を含み、少なくとも２の識別される第１の個人に対応する少なくとも２のＩＤＳを構築するステップであって、各々のＩＤＳが、前記第１の個人と、１又はそれ以上の第２の識別された個人及び第１の個人とのファミリ関係の性質と、のファミリデータレコードを具えるステップと、対応するファミリデータレコードに少なくとも１の同一と識別される個人を含む、重複したファミリデータレコードを有する少なくとも２のＩＤＳを識別するステップと、少なくとも２のファミリデータレコードを合併して、拡大したファミリデータレコードを構築するステップと、を具えている。このような合併は本発明の実施例によって、拡大したファミリツリーを生ずる。
【００４０】
関連ウェブは異なる階層を有していても良い。例えば、ある階層が家族、別の層が友人、更なる層が仕事仲間等のように。
【００４１】
関連ウェブは、階層方法で表示されても良い。例えば、共通の関心又は趣味を有する個人の場合において、このような関心又は趣味を有する多数の個人がいる場合、同一の関心又は趣味を有する各個人へのリンクを示すよりむしろ、関連ウェブが、例えば、同一の関心又は趣味を共有する所定の領域又は位置の総ての個人をリンクするウェブページへのリンクを提供することができる。このようなウェブページは次いで他の領域又は位置内の同一の関心又は興味を共有する個人へリンクし、共有される関心又は趣味を有する個人の包括的なウェブページにリンクすることができ、異なる個人のレベルまで完全に下りて、このような個人等の関連ウェブページへのリンクを有している。
【００４２】
識別された個人が完全な関連ウェブを再検討することを可能にすることができ、本発明の一般的な実装モードにおいては、個人は、その個人に関するその一部分のみを再検討することができる（このような部分を、いくつかの場面で「個人関連ウェブ」とする）。このような一部分は全システムに及ぶ所定の部分である。例えば、ファミリメンバの個人関連ウェブは、特定の距離まで、すなわち、特定の関連ラインの距離までの総てのファミリ関係を含むことができる。別の例としては、友人又は仕事仲間の関連ウェブは、例えば、２本のラインまで、すなわち、それぞれ、友人の友人、又は仕事仲間の仕事仲間のような、制限を有していても良い。
【００４３】
別の実施例によって、更に又は代替的に、各々の識別される個人は、他の個人に対する彼／彼女の「可視性」のレベルを規定した、すなわち、ユーザによって再検討されうるＩＤＳの一部分を規定したオプションを与えることができる。例えば、個人はＩＤＳ又はその一部分を、例えば、関連ラインの数による又は別の関連パラメータによる距離に基づいて、一定のプロファイル（一定の規定された関心の範囲を有する総ての個人、一定の地理的位置の住所等のような）に基づいて、あるいはその他の基準を用いて再検討する許可を規定するオプションを与えられる。
【００４４】
いずれの識別された個人も、本発明の一実施例によって、ＩＤＳ又はその部分が認可すべき範囲を規定することができる。更に別の実施例の下では、各々の識別された個人が、ＩＤＳの総て又は一部分を再検討する権利を与えられない識別された個人の基準を規定し、あるいは提供することができる。この認可及び／又は特権の基準は、完全なＩＤＳ又はその一部分に当てはめることができる。更に、異なる基準は異なるＩＤＳの部分に適応することができる。
【００４５】
分かるように、関連ウェブは静的ではなく、むしろ動的であり、多くのネットワークユーザがＩＤＢを入力した場合、識別された個人の追加と、追加される関連ラインと、すでに存在するＩＤＳへの追加又は更新と、を続ける。いくつかの場合では、新規にＩＤＢを入力する新規ユーザは、他の個人によって入力されたＩＤＢを通じて識別された個人にすぐにすることができる。別の場合では、このような新規ユーザは識別された個人ではないが、１又はそれ以上の関連する個人は、すでに識別された個人になっている。他の場合では、新規ユーザと関連する個人の両方がシステムに対して新規である。２つの前者のケースにおいては、新しく入力されたデータはすでに存在する関連ウェブに取り込まれている。後者の場合においては、入力されたデータは、後の新規ユーザによって入力される新しいデータを通じてリンクされる時間まで、独立した別の関連ウェブを形成する。
【００４６】
本発明のある例示的な使用は、ファミリツリーの自動構築にある。ユーザがファミリツリーを生成するのを可能にする多くのウェブベースの他のシステムとは異なり、本発明によると生成プロセスは実際に自動である。ユーザはいくつかの関係データを入力するけれども、特定の個人用のファミリツリーの構築に関する他のデータは、他人によって入力される。
【００４７】
本発明の実施例によると、識別された個人は、例えば、個人に関連するコンピュータ又は他の通信デバイスに対する、又は、個人又は個人関連ウェブに関する発展、すなわち、他人によって追加されたＩＤＢを通じた個人のＩＤＳの更新、例えば、個人に関する新しいデータ、個人のファミリツリーに追加された新しいファミリメンバ、他のユーザによって入力される個人関連ウェブ内に存在する個人の新しい又は更新されたデータ、個人関連ウェブに関する様々な他の新規事項などの場合には、個人に関連する電子アドレスに対する自動通知を受け取る。コンピュータデバイスは、例えば、通知が電子メールの場合コンピュータであり、通信デバイスは、例えばモバイル通信デバイスであり、通知はＳＭＳメッセージの形態である。
【００４８】
本発明の方法とシステムの別の使用は、個人間の関係を識別することにある。この実施例による方法は、コンピュータデバイスを通じてネットワークにリンクすることができるユーザが、前記ＩＤＢをコンピュータシステムに入力するのを可能にするコンピュータネットワーク上で動作するコンピュータシステムを提供するステップと、ＩＤＢを処理して、各々の識別された個人用のものである、前記ＩＤＳを生成するステップと、総てのＩＤＳを処理して、識別された個人間の関係のタイプを規定する、関係データを含むデータベースを構築するステップと、を具えている。ある実施例によると、信頼度スコアは上述のように算出される。Ｉ所定値より小さい信頼度スコアのＤＳ又はその一部分は、データベースから除外される。
【００４９】
別の実施例において、上で説明したように、本発明は、識別された個人間の１又はそれ以上の関係のタイプによって、互いに関連する個人の関連付け又はグループ化のために用いられる。この実施例による方法は、ネットワークのユーザが前記ＩＤＢを入力するのを可能にするサーバシステムを提供するステップと、ＩＤＢを処理して、前記ＩＤＳを生成するステップと、総てのＩＤＳを処理して、前記個人と他の個人との関係のタイプを規定する関係データを含むデータベースを構築するステップと、を具えている。
【００５０】
ある実施例によると、このような関係は識別された個人の仮想コミュニティに生ずる。用語「仮想コミュニティ」は、１又はそれ以上の共通識別子を有する識別された個人の関係を示している。共通識別子は、共通特性、共通嗜好又は関心、共通祖先、共通起源、共通個人バックグラウンド等のような個人の関係を基礎としているものを含むことができる。仮想コミュニティは、例えば、ある芸術ジャンルが好きな個人、あるスポーツ活動をする個人、共通の学術的な関心を有する個人、共通の起源を有する個人、共通の趣味を共有する個人、総てが同一の家族であり、同一の祖先に由来する個人等の、共通の関心を共有する個人を含んでいる。このような関係は自動的に形成され、ＩＤＢに入力され、後にＩＤＳに含まれる識別された個人に関する様々な個人記述子に基づいている。分かるように、識別された個人は異なるタイプの関係を有することができ、よって１以上の仮想コミュニティに属することもできる。
【００５１】
本発明の実施例によって、仮想チャットルーム、リンクする異なる仮想チャットルーム、仮想掲示板、ブログ等のような仮想コミュニティに関連する個人間の通信のための手段が提供されている。
【００５２】
本発明の実施例によって、個人の団体、グループ、又は仮想コミュニティは、対象の共通範囲内の商品又はサービスの販売を促進するための有用な手段を提供することができる。このような販売促進は、電子宣伝資料の配布を通じてすることができ、関連する仮想掲示板等に広告を置くことができる。ターゲットとなる個人は、いくつかの実施例によると、総ての１又はそれ以上の共通識別子を共有する個人のグループにすることができる。
【００５３】
本発明を適用して、コンピュータネットワークのユーザ用の仮想識別ドキュメント（ＶＩＤ）を生成することもできる。一度生成され検証されたＩＤＳは、ネットワークユーザの信頼できるＶＩＤに役立つ。代替的に、ＩＤＳに基づいて、このような識別子の精度に関する検証証明書、一般的には電子証明書を有するいくつかの個人識別子を含むことができるＶＩＤが構築される。
【００５４】
ネットワークのユーザが別のネットワークのユーザを識別することを可能にするようなＶＩＤを生成する方法が、ネットワークのユーザが前記ＩＤＢを入力することを可能にするサーバシステムを提供するステップと、ＩＤＢを処理して、各々の識別される個人のための１つである、前記ＩＤＳを生成するステップと、各ユーザのために１又はそれ以上のネットワークの他のユーザによって入力される１又はそれ以上のＩＤＢを通じて、ユーザによって入力される少なくともＩＤＢの一部分を検証して、前記ユーザ用のユーザ特有の検証ＩＤＳを構築するステップと、を具えている。一実施例によると、各ユーザはその時にユーザ特有の検証ＩＤＳをＶＩＤとして用いることができる。別の実施例により、ＶＩＤは前記ＩＤＳを基礎として構築される。ＶＩＤは、ＶＩＤに現れる詳細の信頼性に関する電子証明書を含んでいてもよい。
【００５５】
ＶＩＤは、様々な状況でコンピュータネットワークを「サーフィン」する個人の同一性を検証するのに有用である。例えば、インスタントメッセージサービスを通じて、電子メールを通じて、仮想チャットルームを用いて、などで個人とダイアログを結合する場合、通信している個人の新の同一性に関する疑いは常にある。本発明のＶＩＤを送信又は表示することにより、個人の真の同一性が明らかにすることができる。
【００５６】
従って、本発明の実施例によると、コンピュータネットワーク上の通信方法は、少なくとも１の第２の通信ユーザに前記ＶＩＤを送信し、前記ＶＩＤが、前記ＩＤＢから生成され、処理されて、上述するように、各々の識別される個人のための１つである、前記ＩＤＳを生成し、ネットワークの１又はそれ以上の他のユーザによって入力されるデータによって少なくともＩＤＳの一部分を検証し、このような証明書の後に前記ＶＩＤを生成する少なくとも１の第１の通信ユーザを具えている。
【００５７】
個人の真の同一性の具体的に知ることが、コンピュータネットウォークを通じて、例えば、インターネットを介して実行されるトランザクションの場合にも重要になる。この実施例による方法は、前記ＶＩＤを用いて、同一性又はトランザクションを実行するその他の個人の詳細を検証するステップを具えている。
【００５８】
本発明の方法とシステムは独特のプラットフォームを提供して、サービス又は製品の販売又は販売促進を一定の共通の特徴を有する個人のグループに対して許容している。共通の特徴の一例は、同様の趣味、同様の仕事、同様の履歴等である。
【００５９】
本発明によって生成されるデータベースは、別のその態様である。このようなデータベースは、人口統計調査用に大いに有用なツールにすることができる。このような使用は、更なる本発明の態様を構成する。従って、本発明のデータベースはデータを小さくするのに有用である。更に、データベースは調査又は世論調査を行うのに有用である。後者のケースにおいては、データベースは特定の所定のプロファイルを有する個人に対し質問表を送るのに用いることができる。
【発明を実施するための最良の形態】
【００６０】
本発明は、データベースを生成し、個人をリンクしネットワークする新規の方法及びシステムを提供している。本発明によると、コンピュータネットワーク、特に、排他的ではないがインターネット、のユーザが、自分自身及び関連する個人のデータを入力することを可能にするコンピュータシステムが提供され、他の個人によって入力されるデータの検証を選択的に伴い、ユーザのデータベースと関係が構築されることに基づいている。本発明の方法及びシステムは、以下に述べる異なる態様及び実施例によって解明されるように、様々に異なるユーティリティを有している。
【００６１】
詳細な記載においては、数多くの特有の詳細が、本発明の理解を提供するために説明される。しかしながら、これらは特有の実施例であり、本発明が、ここに記載されて主張される本発明の特徴的な特性を例示する異なる方法で実行されることは、当該技術分野の当業者によって理解されるであろう。
【００６２】
他の方法で特に述べられた場合でなければ、下記の考察から明らかなように、特異化を通じて、「処理（ｐｒｏｃｅｓｓｉｎｇ）」、「コンピュータ処理（ｃｏｍｐｕｔｉｎｇ）」、「算出（ｃａｌｃｕｌａｔｉｎｇ）」、「決定（ｄｅｔｅｒｍｉｎｉｎｇ）」、「導出（ｄｅｒｉｖｅ）」、「生成（ｇｅｎｅｒａｔｉｎｇ）」等のような用語を利用する考察が、コンピュータシステムのレジスタ及び／又はメモリ内の電気のような物理量として表され、同様に、コンピューティングシステムのメモリ、レジスタ又は情報保存、送信又は表示デバイスのようなその他のものの内部の物理量として同様に表される、データを他のデータに操作及び／又は変換するコンピュータ又はコンピューティングシステムの活動及び／又は処理、又はプロセッサ又は同様の電子コンピュータデバイスに言及すると分かるであろう。
【００６３】
本発明の実施例が、プロセッサ、コンピュータ、装置、システム、サブシステム、モジュール、ユニット、ここで動作を実行するための（単一又は複数の形式での）デバイスのような用語を用いることができる。これは所望の目的に対して特別に構築することができ、コンピュータ内に保存されるコンピュータプログラムによって選択的に起動され、再構成される汎用コンピュータを具えることができる。このようなコンピュータプログラムは、限定はされないが、フロッピーディスク、光ディスク、ＣＤ−ＲＯＭ、Ｄｉｓｋ−ｏｎ−Ｋｅｙ、スマートカード（例えば、ＳＩＭ、チップカード等）、磁気光ディスクを含む多くの型のディスク、読み出し専用メモリ（ＲＯＭ）、ランダムアクセスメモリ（ＲＡＭ）、電気的プログラマブル読取り専用メモリ（ＥＰＲＯＭ）、電気的消去書込み可能な読出し専用メモリ（ＥＥＰＲＯＭ）、磁気又は光カード、又は、コンピュータシステムバスを介して伝達することが可能な電気的命令を保存するのに適するその他の型の媒体のような、コンピュータで読み取り可能な保存媒体に保存することができる。
【００６４】
ここに示した処理／デバイスは、他の方法で特に述べられた場合でなければ、どんな特定の電気的素子又はその他の装置とも本来関係がない。様々な汎用素子はこの教示によって用いることができ、より多くの特殊化した装置を構成し、所望の方法を行うことが便利になる。様々なこれらのシステムに対する所望の構造は、下の記述で現されている。更に、本発明の実施例はいずれかの特定のプログラム言語を引用して記載されていない。様々なプログラム言語を用いて、ここに記述したような本発明の教示を実装することができると分かるであろう。
【００６５】
同様に、ここに記載されたコンピュータシステムは、いかなる物理的主体とも関係がない。コンピュータシステムはサーバ、ルータ等のような汎用構成を用いることができ、又は、本発明の教示による使用のために特に設計された特定化した装置を用いることができる。
【００６６】
本発明の方法は、この図によって例示されるが、限定はされないことは理解すべきである。
【００６７】
図１を参照すると、図１は本発明の一実施例による仮想コミュニティを発展させる相互作用方法を示す単純化した模式的なフローチャート１００である。
【００６８】
複数のユーザが個人関係データ（ＩＤＢ）をコンピュータシステムに入力することが許容される（ステップ１１０）。取得されたＩＤＢは各々の個人識別子を含み、ユーザに関するデータ及び関係データを含んでいる。関係データはユーザ自身のデータと、一般的には、排他的ではないが、ファミリでデータ入力する個人に関連する個人である、１又はそれ以上の関連する個人のデータとを含んでいる。関係データは関連する個人の関係の性質（例えば、子供、親、兄弟姉妹等）のデータも含む。ＩＤＢは処理されて（ステップ１２０）、各々の識別された個人のための１つである、ＩＤＳを生成する（ステップ１３０）。総ての識別された個人のＩＤＳ１４２と関連ウェブ１４４を含み、後者は識別された個人間の関連リンクのデータを含むＩＤＳのデータベースが次いで構築される。関連ウェブは、総ての個人からの１の合併された関連ウェブにすることができ、あるいは、異なるグループの識別された個人に対して複数のこのようなウェブを含むことができる。  
【００６９】
後のオプションステップにおいては、識別された個人の個人特性に基づいて、仮想コミュニティ１５０−１、１５０−２、．．．１５０−Ｎが形成される。仮想コミュニティはコンピュータネットワーク又はシステムの仮想環境内に形成される個人のコミュニティである。仮想コミュニティは一般的に共通のものを有する個人を含んでいる。仮想コミュニティの一例は、家族のつながりを通じて関係する個人の仮想コミュニティである。他の例は、共通の祖先、共通のバックグラウンド、共通の趣味又は関心、及びその他多数を有する個人を含んでいる。仮想コミュニティの概念は、当該技術分野の当業者に公知であることは疑うべくもなく、更に詳述する必要はない。本発明のいくつかの実施例により、仮想コミュニティは自動生成される（ＩＤＢに基づいて）。例えば、識別される個人を見つけて、他の識別される個人のグループ、例えば全員が同一の趣味を有するなど、を伴う共通識別子を有することができ、コンピュータシステムはこのような個人を自動的にグループ化し、電子通知を総ての個人に送付し、この仮想コミュニティに参加し、通信できるウェブサイトも生成することができる。識別される個人は、自身の選択で仮想コミュニティに参加することができる。
【００７０】
図２を参照すると、図２は本発明の一実施例によるコンピュータシステム２００の模式的な絵入りの図である。
【００７１】
このシステムに対する多くの変形が考えられることは理解すべきであり、この実施例は限定として解釈すべきではない。例えば、ファクシミリシステム又は電話デバイス（優先電話又は携帯電話）を設計して、コンピュータネットワーク（例えば、インターネット）に接続可能にすることができる。インターアクティブテレビジョンは、インターネットからデータを入力し、受け取るのに用いることができる。
【００７２】
システム２００は一般的にサーバユーティリティ２１０を含み、プログラミング、トラブルシューティングサービス、及びその他の機能のために１又は複数のサーバ及び１又はそれ以上の制御コンピュータ端末２１２を含むことができる。サーバユーティリティ２１０は、システムウェブサイト２２３を動かすために、及び、ユーザと通信するために、リンク２２２を通じて（コンピュータネットワークを構成する）インターネット２２０にリンクされる。ユーザは複数のユーザコンピュータ２３０を通じてサーバと通信することができ、個人が、複数のリンク２２４を通じてインターネット２２０にリンクされるネットワーク、パーソナルコンピュータ、ポータブルコンピュータ、小さなハンドヘルドコンピュータその他にアクセスするのを可能にする端末を有するサーバと通信することができる。各々のコンピュータ２３０のインターネットリンクは、陸線又はワイヤレス線を通じて直接的にすることができ、例えば、インターネットへの適切なサーバを通じてリンクされるイントラネットを通じて、間接的にすることもできる。システムは、当該技術分野の当業者に公知である、インターネット上のコンピュータの通信プロトコルを通じて通信することもできるが、ここでは詳述しない。ユーザは第３世代携帯電話２４０のようなポータブル通信デバイスを通じてシステムと通信することもでき、リンク２５２を通じて、インターネットへ接続可能な対応する通信システム（セルラーシステム）２５０を通じて、インターネットに通信する。容易に分かるように、詳細は当業者に対して明らかにすべきであるが、これは非常に単純化した記載である。更に、コンピュータとポータブル及びモバイル通信デバイスのような、ユーザ関連通信デバイスに限定されず、インターアクティブテレビジョンシステムのような他の変形も用いることができる。システム２００は少なくとも１の電話及び／又はユーザサポートセンタ２６０を一般的に含んでいる。サービスセンタは少なくとも１の専門家からユーザにオンラインとオフラインの双方のサービスを一般的に提供している。サーバシステム２１０は本発明により構成され、ユーザから受け取ったデータに基づいて、プルモードかプッシュモードのいずれかで起動し、上述の方法を実行できる。
【００７３】
図３を参照すると、図３は２ユーザ、Ｕｓｅｒ−Ａ  ３０２とＵｓｅｒ−Ｂ  ３０４、から受け取られたＩＤＢの単純化した模式図であり、例えば図１によって上述のように処理される。
【００７４】
Ｕｓｅｒ−ＡとＵｓｅｒ−Ｂは、それぞれのＩＤＢ、ＩＤＢ−Ａ  ３１２とＩＤＢ−Ｂ  ３１４を入力する。ＩＤＢ−Ａ  ３１２は、Ｕｓｅｒ−Ａ  ３１２−１と、関連する個人Ｘ、Ｃ及びＤの関係データピース３１２−２、３１２−３、３１２−４のそれぞれを含んでいる。ＩＤＢ−Ｂ  ３１４は、同様に関連する個人Ｂ、Ｙ、Ｅ及びＦの対応するデータピース３１４−１乃至３１４−４を含んでいる。分かるように、個人識別子３１２−１と３１４−１は、各々Ｕｓｅｒ−ＡとＢの特性を表わすことができる複数のデータビットからなる。同様に関係データ３１２−２、３１４−２乃至３１２−４、３１４−４は、個人の個人識別子並びに各々のＵｓｅｒ−ＡとＢ乃至関連する個人の間の関係の性質を識別する関係データを含んでいる。
【００７５】
分かるように、各々のＩＤＢ内に３の関連する個人があるここに示した本例は、例のみであって、いずれの数の関連する個人もＩＤＢの中に含むことができる。
【００７６】
ＩＤＢを処理する上で（ステップ３２０）、コンピュータシステムは、関連する個人Ｘ及びＹは、それぞれ個人ＢとＡであると認知する。次のステップ３３０において、ＩＤＳが生成される。全体において、２つのＩＤＢ  ３１２と３１４は、６の識別された個人と関係し、従ってこれらの２つのＩＤＢから、合計６のＩＤＳ  ３４０−Ａ、３４０−Ｂ、．．．、３４０−Ｆが、個人Ａ、Ｂ、．．．、Ｆに対して生成することができる。各々のこれらのＩＤＳに対する信頼度スコアも生成することができる。ＩＤＳ−Ａ  ３４０−ＡとＩＤＳ−Ｂ  ３４０−Ｂは、ＩＤＢに含まれるデータからそれぞれ生成されるので、相対的な信頼度スコアが低い、他の示したＩＤＢのスコアと比較すると、生成することができる相対信頼度スコアは高くなる。
【００７７】
実際に、この非常に単純化した例示の実施例において、個人Ａに対するＩＤＳ  ３４０−Ａと個人Ｂに対するＩＤＳ  ３４０−Ｂは、２の異なるソースから検証された個人識別子を含む、個人ＡとＢに対する主のデータレコードを含んでいる。更に、個人ＡのＩＤＳ  ３４０−Ａは、例えば個人Ｂ、Ｃ及びＤの関係データも含んでいる。しかしながら、個人ＣとＦは個人Ｂと関連付けられているので、それらは個人ＢのＩＤＳ  ３４０−Ｂ内の関係データとして含むことができる。
【００７８】
複数のユーザがＩＤＢを入力している場合においては、ＩＤＳは生成することができ、多くの数のソースから検証を受け取ることができる。
【００７９】
図４を参照すると、図４は２の異なるＩＤＢから取得される個人のデータビットの比較を例示している。Ｕｓｅｒ−Ａによって入力されるＩＤＢと、Ｕｓｅｒ−Ｂによって入力されるＩＤＢに含まれる個人Ａのデータビットが例示されている。
【００８０】
あるソースから入力される個人のデータビットは大抵、不正確さを含み、不完全である。図４の例に示されているように、個人Ａの９の異なるパラメータが含まれている。Ｕｓｅｒ−Ａは彼／彼女の年齢、性別、生まれた場所、目の色、誕生日、父親の名前、母親の名前、兄弟の名前、及び居住地（それぞれ、Ａ１乃至Ａ９）に関するデータを入力する。Ｕｓｅｒ−Ｂは、ビットＡ８とＡ９を除いた、Ｕｓｅｒ−Ａに関する対応するデータを入力した。いくつかの実施例においては、２セットのデータビットを比較して、「合致（ｍａｔｃｈ）／不合致（ｍｉｓｍａｔｃｈ）」（「はい（Ｙｅｓ）」／「いいえ（Ｎｏ）」）のバイナリ出力を提供し、比較された２つのデータピースを関連付けている。更に複雑なアルゴリズムは、多数のＩＤＢからの同一の個人のデータピースの比較を適用することができる。いくつかの他の実施例において、出力は合致の密接度に基づいてスコアを提供している。例えば、図４におけるデータと関連付けて、バイナリスコアリングシステムが用いられた場合及びスコアが１０のうち１０として提供された場合は、Ｕｓｅｒ−Ａの父親の名前は受け入れられるであろう（双方の入力が合致し、「Ｐｅｔｅｒ」である場合）。対照的に、バイナリ比較システムが母親の名前に関連付けて用いられた場合、入力は「Ｍａｒｙ」と「Ｍａｒｉｅ」は合致しないとして拒絶されるが、スコアリングをベースとして、スコアは１０のうちの８とすることができる。同様にＵｓｅｒＩの年齢は、バイナリベースでは拒絶することができるが、スコアベースでは９のスコアに基づくことができる。誕生の場所に関しては、バイナリ比較システムが用いられた場合、「Ｂａｒｔｉｍｏｒｅ」と「Ｎｅｗ  Ｙｏｒｋ」は合致せず、スコアシステムにおいては、１０中４のスコアが例えば与えられる。兄弟の名前及び居住地については、データがＵｓｅｒ−ＢのＩＢＳに提供されず、バイナリ比較システムにおいてはこのデータは拒絶することができ、スコアリンスシステムにおいては５のような中間スコアを受け取ることができる。後に構築されたＩＤＳにおいては、バイナリシステムの場合において、入力されるデータビットは完全合致するもののみを含むことができる。これに対して、スコアリングシステムにおいて、含まれるデータは、一定の番号上にスコアを有するようにすることができ、例えば、５より大きいスコアの場合、データビットＡ１、Ａ２、Ａ４、Ａ５、Ａ６、Ａ７が含まれる。更に、ＩＤＳは、ＩＤＢを構築するのに用いられるＩＤＢの数、関連する個人の数、関連する個人の信頼度スコアのような他の因子として一般的に作用する、個人のスコアに基づいた全体の信頼度スコアに基づくことができる。
【００８１】
いくつかの実施例において、異なる重みづけは異なるデータビットに与えることができる。例えば、個人に関する個人によって提供されるデータの重みづけは、その個人に関連する兄弟姉妹の２倍であり、その個人に関するいとこから受け取られる重みづけの３倍以上である。個人と関連付ける情報を提供するユーザの密接度の段階を用いて、重みづけを算出することができる。従って、重みづけは、例えば各々の検証（各々がそれ自体でその検証において２ユーザの密接度の関数である）に対して指定された重みづけによって乗算された検証の数の関数として算出することができる。
【００８２】
従って、いくつかの実施例においては、母親の名称、誕生の場所、年齢に関してＵｓｅｒ−Ａにより提供されたデータは、受け入れられる一方、Ｕｓｅｒ−Ｂによって提供されるこれらのデータはその低い重みづけのために拒絶される。
【００８３】
当該技術分野で既知のものに含まれる、多くの異なる他の重みづけモデルや比較アルゴリズムは、本発明によって提供することができることは理解すべきである。
【００８４】
図５を参照すると、図５は、図３の実施例のステップ３２０を処理する実装の例を示した単純化した模式的なフローチャート５００である。
【００８５】
バイナリ比較ステップ５１０において、２ユーザのＩＤＢにおける個人データビット、ＵｓｅｒＮとＵｓｅｒＭ（ＵｓｅｒＮのＩＤＢＮのデータビット１乃至Ｉ、（ＤＢ１−Ｉ）ＮとＵｓｅｒＭのＩＤＢＭのデータビット１乃至Ｊ、（ＤＢ１−Ｊ）Ｍ）、例えば図３及び４のＵｓｅｒ−ＡとＵｓｅｒ−Ｂが比較される。例えば、ＵｓｅｒＮの年齢は、比較ステップ５１０においてＵｓｅｒＭにより提供される年齢と比較される。図４に示されるように、Ｕｓｅｒ−Ａは彼女の年齢を３７であると入力し、一方、Ｕｓｅｒ−ＢはＵｓｅｒ−Ａの年齢が３８であると示していた。チェックステップ５２０において、システムが、（（ＤＢＩ）Ｎ及び（ＤＢＪ）Ｍ）が同一であるかどうかを見てチェックする。２のデータビットが同一の場合、例えば図４のデータビットＡ２についての場合と同様に、これらのデータビットはメモリ内に保管され（５３０）、次いで後のステップ５４０において、システムは比較すべき２つのＩＤＢ内のそれ以上のデータビットがあるかどうかを決定し、肯定であれば次のデータビットが２つのＩＤＢで選択され（５５０）、処理を再開する。比較ステップ５２０が否定の結果を生ずる場合において、システムは決定ステップ５４０へ直接移る。
【００８６】
決定ステップ５４０が比較すべき２つのＩＤＢ内のデータビットがないと結論を出した場合、システムは比較すべき、更なるＩＤＢＭがあるかどうかを決定している。肯定であれば次のＩＤＢが選択され（５７０）、次のＩＤＢはＩＤＢのランダムリストから、又は、ＩＤＢＮに含まれるデータビットと高確率で合致するデータビットを有することを予定されているＩＤＢのリストからかのいずれかから選択される。
【００８７】
比較ステップ５６０が、否定的な結果を生じる場合、ＩＤＢＮは拒絶され（５７５）、システムは次の決定ステップ５８０に進んで、他のＩＤＢと比較すべき更なるＩＤＢＮがあるかどうかを決定する。肯定であれば、新しいＩＤＢＮが取得され、システムはステップ５１０に戻る。追加のＩＤＢＮがない場合、動作は停止する（５９９）。
【００８８】
いくつかの他の実施例において、ＩＤＢは、保管され、割り当てられる信頼値となる。信頼値は、各ユーザに対する汎用信頼値（ＧＲＶ）に基づくように、各ユーザのために地蓄積される。ＧＲＶを用いて、システムに情報を提供し、低いＧＲＶを有する信頼度の低いユーザを除去するために、相対的に高いＧＲＶを有する選択したユーザを選ぶことができる。
【００８９】
図６を参照すると、図６は、図１の個人識別子データセット（ＩＤＳ）を得るためのステップ１２０の実施例を示した単純化した模式的なフローチャート６００である。
【００９０】
上述、特に図１乃至５に関して述べてきたように、システム２００は操作的であり、複数のユーザのためのＩＤＢを取得している。ＩＤＢはインターネット上で、及び／又は、図２に示したいずれかの装置又は当該技術分野のその他の既知なものを介して取得することができる。異なるユーザからのＩＤＢは、フローチャート６００で比較される。例えば、図３に図示した例で受け入れられたＩＤＢは、相対的な距離、すなわち、２又はそれ以上のユーザ間の関係ラインの数、を考慮して更に比較することができる。いくつかの実施例においては、これは、図３乃至５で参照したＩＤＢの比較に加わった更なる処理である。
【００９１】
他の実施例において、少なくとも部分的なこの処理は、図３乃至５に記載のいくつかのステップを置換する。例えば、フローチャート６００において、ユーザＵｓｅｒ１．．．ＵｓｅｒＮからそれぞれ取得される指定ＩＤＢ１．．．ＩＤＢＮである複数ユーザのＩＤＢは、比較ステップ６１０で比較される。これらのＩＤＢはユーザによって提供される自分自身に関する情報の一部であり、複数のデータソースの比較はステップ６１０で使用され、一又はそれ以上のアルゴリズムを適用して、無関係なデータ処理を除去することができる（当該技術分野で既知の合理的な設計方法によるような）。
【００９２】
例えば、ステップ６１０において、様々な識別子に関係する複数のユーザから取得されるＩＤＢを比較して、様々なＩＤＢの相対的にフィットするセットを取得することができる。
【００９３】
ステップ６１０の出力は、下記：
ａ）メモリ又はデータベースにあるデータと関連して得られるＩＤＢのフィット；
ｂ）１又はそれ以上の他のユーザに関連する１又はそれ以上のユーザから得られるＩＤＢのフィット；
ｃ）異なるユーザにある複数のＩＤＢ；
ｄ）少なくとも１の関係の指示及び／又は２又はそれ以上のユーザの距離
のうちの少なくとも１つを含むことができる。
【００９４】
計測ステップ６２０において、２又はそれ以上のユーザ間の距離は、算出され計測される。距離は１又はそれ以上の一連の規則によって規定することができる。１つの限定されない例は、下記のうちの少なくとも１つを含んでいる：
ａ）一親等（ユーザ乃至子供、両親、兄弟姉妹、配偶者のような）の血縁関係間の関連ラインが１の標準的な長さに標準化でき；２つの標準的な関連ラインのラインが、二親等（ユーザ乃至祖父母又は孫、いとこ、甥や姪、義理の兄弟姉妹、義理の親の血縁関係によって標準化することができ；
ｂ）友人間のラインは、例えば、恋人、第一級；最良の友人、第一級（１つの標準距離）；社会集団の友人、第二級（２つの標準距離）、仕事仲間、第三級（３つの標準距離）のように関連する用語で規定することができる；
【００９５】
少なくともいくつかのユーザの集合間の距離は、１又はそれ以上の一連の規則を用いて算出され、出力することができる。その後算出された距離は、システムのコンピュータメモリ内に保存される。
【００９６】
指定する信頼度ステップ６３０において、別のユーザに関係するユーザから取得したデータの信頼度が、ステップ６２０から算出されたユーザ間の距離の関数として算出される。例えば、３の関連長さの血縁関係は、同じ関連長さの友人よりも高い信頼値を指定することができる（ここでは、「ＲＤ値」又は「ＲＤ」として指定される）。
【００９７】
計算合致ステップ６４０において、合致はＲＤ値の関数として算出される。いくつかの場合においては、ステップ６１０からの対応するフィットを用いた単純化した乗算の合致である。
【００９８】
受け入れステップ６５０においては、所定値以上の合致を有する総てのＩＤＢが、受け入れられ、その他のものは拒絶される。いくつかの実施例においては、受け入れられたＩＤＢのみがメモリにセーブされる。
【００９９】
選択的なフィルタリングステップ６６０において、１又はそれ以上のアルゴリズムを受け入れられたＩＤＢに適用している。フィルタリングステップを設計して、ＩＤＢの数を最小値に減じ、「本質的ではないＩＤＢ」を拒絶する。
【０１００】
既に上述したように、各ＩＤＢはデータ入力をする個人の個人識別子と、関連する個人のデータと、を含んでいる。処理の終わり６７０では、ＩＤＳは各々の識別された個人用と規定され、データ入力する個人と、関連する個人と、を含んでいる。
【０１０１】
ユーザのチェックステップ６８０において、１つのＩＤＳが総てのＩＤＢ内の総ての識別された個人用に算出されたかどうかを見てチェックされている。否定の場合、検索が行われ、更新ステップ６９０で次のＩＤＢを見つけて、次いで、ステップ６１０乃至６８０が、各々の識別される個人が対応するＩＤＳを有するまで繰り返される。ＩＤＳは、システムメモリ２８８に保存される。
【０１０２】
関連ウェブを形成するための本発明の方法が限定されない以下の例によって例示されている。
【０１０３】
図７Ａを参照すると、図７Ａは、関連ウェブを発展させるための単純化した模式的なフローチャート７００であり、図１のステップ１３０の実施例を示している。
【０１０４】
ステップ７１０を取得するＩＤＳにおいて、ＳユーザのＩＤＳが取得される。このステップは図６のフローチャート６００と似ていて異なっている。いくつかの場面において、いくつかのユーザのＩＤＳは１つのデータベースに保管されているが、他は別のデータベースにある。データベースは、システム２００内の第３のデータベースに合併、結合することができる。
【０１０５】
ＩＤＳの構築は、識別された個人及び関連する個人の個人識別子として役立つデータ全体の発生の仮想感覚で理解すべきである。一実施例によると、１つのＩＤＳを構成する総ての要素は１つのデータレコードとして保管される。他の実施例によると、単一のＩＤＳを構成する複数の要素は、複数のデータレコード間で分散することができる。
【０１０６】
ステップ７２０において、上述したように関連ウェブは例えば取得されたＩＤＳを基礎として生成される。これは、ファミリツリーを生成するステップと、社会階層ツリーを生成するステップと、労働階層ツリーを生成するステップと、等を含むことができる。本発明のいくつかの実施例によると、分離した関連ウェブは各個人用に生成され、一定の所定数の関係を有する総ての個人が、その個人とリンクすることを示している。本発明の別の実施例によると、関連ウェブは、例えば、ある地理上の位置に居住する総ての個人、規定された宗教又は分派の総ての個人、ある文化に属する総ての個人、及び臨時的にデータベース内の総ての個人のように、複数の個人を含んでいる。
【０１０７】
本発明の例示的な使用は、ファミリツリーの自動構築にある。ユーザがファミリツリーを生成するのを許可する多くのシステムのようにではなく、本発明によると、世代処理が実際に自動である。ユーザはいくつかの適切なデータを入力するが、特定の個人用のファミリツリーの構築に適切な他のデータは、図４に関して説明すると、他人によって入力される。本発明の別の独特の特徴は、すなわち、異なるファミリツリーのデータベースを互いに合併することを許容している。
【０１０８】
図７Ｂは、本発明の一実施例におけるファミリ構造７６０、７７０、７９０を例示している。
【０１０９】
いくつかの実施例によると、各々のファミリ又は個人のグループは、ファミリ構成Ａ、Ｂ，及びＣを提供されている。構造７６０によって表わされるファミリＡは、母親７６２、父親７６４、及び子供７６６を有している。父親と母親は世代Ｎに属し、子供は世代Ｎ＋１に属している。もちろん、複数の子供がいても良い（図示せず）。母親と父親はそれぞれ、７６３と７６５の１つのラインで子供とリンクしている。結婚した場合、母親と父親はライン７６８でリンクしている。
【０１１０】
ファミリＢにおいては、構造７７０を具える片親ファミリで表わされ、父親は現在分からない。母親７７２は子供７７６と実線７７３によりリンクされる。父親７７４は点線７７５によって子供とリンクされる。
【０１１１】
いくつかの他の場合においては、ファミリＣのように、構造７９０で表わされ、親が分からない。子供７９６は母親７９２と父親７９４とそれぞれ、７９３、７９５の２本の点線によってリンクされる。
【０１１２】
Ａ、Ｂ及びＣのファミリ構成は、図７Ｂに示すように、それぞれ７８２、７８４、及び７８６として「速記法」で示すことができ、ここでノードに関連付けられた子供は７８３で示され、ノードで関連付けられた両親はそれぞれ７８１及び７８２で示されている。
【０１１３】
これらのファミリは現実の遺伝ファミリ又は、一定の社会又は労働関係を有する人々のファミリにすることができる。
【０１１４】
図７Ａに戻り、関連ウェブの構築は、ファミリツリーの生成を利用している。ファミリユニットが区分けされ分類される。その後、ファミリユニットはその中で各個人の固有位置を有する１又はそれ以上の関連ウェブを形成するように、比較され重ね合わせられる（ステップ７３０）。いくつかの場合において、ステップ７２０と７３０は、連結されるか、順序を逆にすることができる。例えば、関連ウェブの構築は、ウェブ内の個人とファミリを配置する組合せを具えることができる。
【０１１５】
いくつかの実施例において、関連ウェブが複数のファミリ構造、特にファミリツリーを連結することによって形成され、２又はそれ以上のＩＤＳに含まれている。既に上述したように、各々のＩＤＳは他人との間に、個人識別子、及び関連する個人の関係データを含んでいる。従って、既に上で指摘したように、各々のＩＤＳはファミリデータベースのソートを構成し、ファミリツリーの構築に用いることができる。異なるＩＤＳに含まれる関係データを連結することによって、１つのファミリツリーは拡張し、他のファミリツリーと合併することができる。
【０１１６】
ＩＤＳに含まれるデータは、いくつかのモードの検証を通じて既に検証され、特にこのようなＩＤＳは、複数の個人によって入力されるＩＤＢから構築されている。従って、ＩＤＳに含まれるデータは、いくつかの検証の度合いを有する一方、ＩＤＳに含まれる各々の関連する個人は、既に検証された個人であり、従って、その方法で合併したファミリツリーは検証されたファミリツリーである。
【０１１７】
既に上で指摘したように、ＩＤＳは関連する個人のデータを含み、同時に各々の関連する個人用のＩＤＳも存在している。従って、２又は複数のＩＤＳからファミリデータベースの連結を通じてファミリツリーを合併すると、合併するための基礎を構成するＩＤＳ内の関連する個人に関連する総てのＩＤＳは、自動的に、例えば、このようなファミリツリーの合併を通じて関連させる新しい個人の結果として、関連する個人のこのような合併への追加によって更新することができる。
【０１１８】
図８を参照すると、図８は、関連ウェブの構成を例示した単純化した模式的なフローチャート８００である（図７Ａのステップ７２０）。
【０１１９】
取得ステップ８１０において、個人に関するデータは取得される。そのように取得されたデータは、限定はされないが、タイプ及び相対的な位置のような、多数の異なるパラメータによってソートすることができる。例えば、データは関連ウェブ、家族、友人、仕事等のタイプにソートされる。データは相対的な位置、例えば年齢、世代、地理的位置及び下位の位置によってソートすることができる。
【０１２０】
データ減少ステップ８３０においては、当該技術分野において既知のように、個人に関するデータ量が、要求されたデータセットを合理的に設計することにより少なくとも１のアルゴリズムを用いてシフトされる。いくつかの実施例において、このステップはステップ８２０に先行することができ（データはソートの前にシフトされる）、いくつかの他の実施例においては（図に示されたように）、シフトはソートされたデータに適用される。
【０１２１】
減少したデータを処理して、関連ウェブを形成する（ステップ８４０）。例えば、関連ウェブは複数のファミリ構造を連結することによって形成することができる（図７Ｂの７８２、７８４、７８６のように）。関連ウェブは一般的には多次元のトポロジを有している。
【０１２２】
前のステップから得られたデータを用いて個人を関連付けることができ、ある個人対他の個人の関連構造において、限定はされないが、単一ファミリに属している個人を含んでいる。いくつかの場合においては、個人は、ファミリツリーのように、いくつかの異なるファミリ構成に出現する。このような個人をその際に参照点として用いて、異なる構造間及び／又はファミリツリー間を結合することができる。
【０１２３】
関連ウェブの相対位置を検証するための本発明の方法は、限定はされないが、標準的なベクトルマッチング法を含んでいる。当該技術分野に既知のアルゴリズムを用いて、」異なる構造／ファミリツリー間の参照点は、非常に高程度の確率で確認される。
【０１２４】
図９を参照すると、図９は、図１の実施例により仮想コミュニティの構成を例示した単純化した模式的なフローチャート９００である。
【０１２５】
第１のフィルタリングステップにおいて、図１のステップ１３０で所得されるＩＤＳは、例えば、居住地、関心の範囲、趣味、人口統計パラメータ、及びその他のような１又はそれ以上の指標によってフィルタされる。例えば、英国ロンドンのリージェント公園地域のサイクリストは、この場合、総ての他の個人から選択することができる。
【０１２６】
次の要求ステップ９２０においては、総てのこのような選択された個人は、システムによって「リージエント公園のサイクリングコミュニティ（Ｒｅｇｅｎｔ’ｓ  Ｐａｒｋ  Ｃｙｃｌｉｎｇ  Ｃｏｍｍｕｎｉｔｙ）」に参加することを望むかどうかを問い合わせる。問われた人のうち数名が、例えば、「リージエント公園のサイクリングコミュニティ（Ｒｅｇｅｎｔ’ｓ  Ｐａｒｋ  Ｃｙｃｌｉｎｇ  Ｃｏｍｍｕｎｉｔｙ）」用に形成されたシステムウェブサイト内のウェブページにつながるリンクをたどることによって、肯定的な応答を提供することができる。このように形成された仮想コミュニティのメンバリストは引き出すことができ、この仮想コミュニティに参加することを選択した総ての識別された個人に対して利用可能にできる。
【０１２７】
規則及び料金を指定するステップ９４０において、参加する個人が標準の年会費を払い、一連の規則を守ることに同意することを要求する。例えば、規則は、ａ）毎年４月に会費を支払う、ｂ）ロンドンの舗道（歩道）で乗らないこと、ｃ）完全には範囲に入ってないので、リージェント公園のモスクの５０メートル以内では乗らないこと、ｄ）日没から午前８時まではフロント及びリアランプを常に用いること、ｅ）簡単に識別できるようにするために自転車の正面ハンドルレバーにメンバステッカを貼り付けること、を含んでいる。
【０１２８】
チェックステップ９５０においては、参加する個人が規則を守っているかどうかである。例えば、ユーザが４月までに年会費を払わない場合、コミュニティから拒絶される。同様に、規則ｂ）乃至ｅ）のいずれかを破ったことがわかれば、拒絶することができる。規則に従っている場合、次年の４月までコミュニティ内に保持される。
【０１２９】
図１、３、５、６、７Ａ、７Ｂ、８、９に例示された、本発明の方法は、ＩＤＳの信頼度が高く、正確でない検証データの確率が低いデータベースの構築を可能にする。更に図７Ｂに示されるようなファミリ構造の上書きは、これまでの当該技術分野で既知のその他のツールよりも信頼性において上である同一ツールの検証を提供している。個人の同一性は、高程度の確率で本発明の方法によって検証されている。更に、異なるファミリメンバ間の関係は、明白に検証される。従って、本発明の方法を用いて構築されるデータベースは、ここに例示したように、多くのアプリケーションで用いることができる。
【０１３０】
本発明のデータベースを含むＩＤＳは、個人とその関係の検証データを含んでいる。このようなデータベースは、本発明によると、ユーザの同一性の検証が重要である場合に様々なユーザのために用いることができる。これには例えば、現実及び識別された個人を有する仮想ネットワークのために、インターネットの電子商取引の様々なアプリケーション等を含むことができる。本発明のデータベースに含まれる検証データを使用するアプリケーションは、更に下に例示される。本発明のデータベースを含むＩＤＳが、個人のもの及び個人の人工統計学上の現実及び検証情報を含むという事実は、コンピュータネットワークがここまで使用できなかった様々な使用のために用いることができる。
【０１３１】
例えば、人工統計調査及び世論調査は、性別、年齢、人種、宗教、国籍、社会地位及び識別された個人のパラメータの一般的ないずれかの分類に基づいて実行できる。このような調査や世論調査の総ては、ＩＤＳのデータとして相対的に高い精度を有することができ、従って、識別されたパラメータを用いて個人を個人集団に分類することは、相対的な高信頼性を有することである。
【０１３２】
選択された個人識別子を有する個人に対する標的マーケティングのような、商業上の目的でのデータベースの使用は、本発明の別の可能なアプリケーションである。このような標的マーケティングは、一定の個人識別子を通じて選択される個人に対してすることができ、本発明によって形成される仮想コミュニティに属する個人の集団、一般的にはこのような仮想コミュニティの関心の焦点に関するものに対してすることができる。例えば、コンピュータチェスゲームは、チェスプレイヤの仮想コミュニティに対して売買することができる。
【０１３３】
明快に、別個の実施例のコンテキストで述べられた、本発明の一定の特徴は、単一の実施例内に連結して提供することができることが分かる。逆に言えば、簡潔に、単一の実施例のコンテキスト内に述べられた本発明の様々な特徴は、分離して、又は、いずれかの適した下位結合で提供することができる。
【０１３４】
ファミリメンバの相対的な位置は、本発明により確実にマッピングされ、例えば、個人を関連する個人に対する養子縁組の目的で、死亡した相続人の相続した財産を主張できるようするのに、重要な最も精密な図を配置することができる。
【０１３５】
本発明のデータベースのアプリケーションは：
ａ）ファミリツリーデータベースの医用アプリケーション；
ｂ）ファミリツリーデータベースの商用アプリケーション；
ｃ）ファミリツリーデータベースのインターネット商用アプリケーション；
ｄ）区域的及び標的マーケティング；
ｅ）ファミリツリーデータベースの商用アプリケーション；
ｆ）亡くなった人の識別；
ｇ）ファミリツリーデータベースの家族用アプリケーション；
によって例示されるいくつかのカテゴリに分割することができる。
【０１３６】
本発明の更なる実施例は、広告キャンペーン用にデータベースを用いることに方向付けられている。いくつかの場合においては、広告キャンペーンは電子媒体広告、紙媒体広告、バナー広告から選択される。
【０１３７】
本発明は医用アプリケーションについてデータベースを用いる方法に更に向けられている。医用アプリケーションは血液関連のアプリケーション、非遺伝子病関連のアプリケーション、遺伝子病関連のアプリケーション、薬剤アプリケーション、治療アプリケーション、代替的な医学治療、個人的な医学治療から選択することができる。
【０１３８】
本発明のいくつかの実施例は、法の執行のアプリケーションのためにデータベースを用いる方法に向けられている。いくつかの場合においては、法の執行アプリケーションは、犯罪者を配置すること、偽りの身分を配置すること、病気の人に関する配置すること、インターネット不正取引を配置すること、から選択される。
【０１３９】
本発明の更なる実施例は、家族用アプリケーション用のデータベースを用いる方法に向けられている。時折、家族用アプリケーションは、家族の入口、家族カレンダ、家族旅行、家族フォーラム、家族チャット、及び家族イメージデータバンクの作成にすることができる。
【０１４０】
本発明の更なる実施例は、コミュニティ用アプリケーション用のデータベースを用いる方法に向けられている。いくつかの場合において、コミュニティ用アプリケーションは、コミュニティの入口、コミュニティカレンダ、コミュニティ旅行、コミュニティフォーラム、コミュニティチャット、及びコミュニティイメージデータバンクの作成にすることができる。
【０１４１】
本発明はその特定の実施例と共に述べてきたが、多くの代替、変更、変形は当該技術分野の当業者に明白であることは明らかである。
【図面の簡単な説明】
【０１４２】
本発明を理解し、実際にどのように実行されるのかを見るために、好ましい実施例が、限定されない例示のみとして、添付の図の関連して記載され、
【図１】図１は、本発明の一実施例によって、仮想コミュニティを発展させる相互作用的な方法を示す単純化した模式的なフローチャートである。
【図２】図２は、本発明の一実施例によって、仮想コミュニティを発展させる相互作用的なシステムの模式的な絵入りの図である。
【図３】図３は、本発明の一実施例によって、ＩＤＳを構築し、信頼度スコアを与える方法を示す単純化した模式的なフローチャートである。
【図４】図４は、２つの異なるＩＤＢから得られる個人のデータビットを比較する一実施例を例示している。
【図５】図５は、図３のステップ３２０の実施例を示す単純化した模式的なフローチャートである。
【図６】図６は、図１のステップ１２０の実施例を示す単純化した模式的なフローチャートである。
【図７】図７Ａは、図１のステップ１３０の実施例を示す単純化した模式的なフローチャートであり、図７Ｂは、本発明のある実施例によって、ファミリ構築と対応する記号を示す単純化した模式的なフローチャートである。
【図８】図８は、図７Ａのステップ７２０の実施例を示す単純化した模式的なフローチャートである。
【図９】図９は、図１のステップ１４０の実施例を示す単純化した模式的なフローチャートである。
【図１】
2009524142.tif 000003
【図２】
2009524142.tif 000004
【図３】
2009524142.tif 000005
【図４】
2009524142.tif 000006
【図５】
2009524142.tif 000007
【図６】
2009524142.tif 000008
【図７】
2009524142.tif 000009
【図８】
2009524142.tif 000010
【図９】
2009524142.tif 000011
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
データベースを構築する方法において：
複数のユーザに、個人関連データビット（ＩＤＢ）のコンピュータシステムへの入力を許可するステップであって、各ＩＤＢが、前記ユーザに関する少なくとも１の個人識別子と、１又はそれ以上の関連する個人データと、関係の性質とを具える関係データを具えるステップと；
前記入力されたＩＤＢを処理して個人識別子データセット（ＩＤＳ）を生成するステップであって、各識別された個人についての１つのＩＤＢが、前記ユーザのうちの１人か、前記関連する個人データのうちの１つのいずれかであって、識別された個人のＩＤＳを含むデータベースを構築するものであるステップと；
を具えることを特徴とする方法。
【請求項２】
データベースを構築する方法において：
コンピュータシステムの複数ユーザによって入力される複数の個人関連データビット（ＩＤＢ）を処理するステップであって、各々が、ユーザに関する少なくとも１の個人識別子と、１又はそれ以上の関連する個人データを含む関係データと、個人識別子データセット（ＩＤＳ）を得るための関係の性質と、を具え、各識別された個人についての１つのＩＤＢが前記ユーザのうちの１人か、前記関連する個人データのうちの１つのいずれかであって、関連ウェブにおける識別された個人とその位置についてのＩＤＳを含むデータベースを構築するステップとを具えることを特徴とする方法。
【請求項３】
データベースを構築する方法において：
複数のユーザに個人関連データビット（ＩＤＢ）のコンピュータシステムへの入力を許可するステップであって、前記ＩＤＢの各々が、このユーザに関連する少なくとも１の個人識別子と、１又はそれ以上の関連する個人データと、関係の性質と、を具えるステップと；
前記入力されたＩＤＢを処理して、個人識別子データセット（ＩＤＳ）を生成し、各識別された個人のＩＤＳが、前記ユーザか前記関連する個人のいずれかであり、識別された個人のＩＤＳを具えるデータベースを構築するステップを具え、前記処理ステップが、１又はそれ以上のその他の個人によって入力されたＩＤＢとの比較を通じて、個人によって入力された１又はそれ以上の前記ＩＤＢを検証するステップと、１又はそれ以上のその他の個人によって入力されたＩＤＢとの比較を通じて、ある個人の１又はそれ以上の前記ＩＤＳの事項を検証するステップのうちの少なくとも１つを具えることを特徴とする方法。
【請求項４】
個人識別データレコードを構築する方法において：
複数の個人に、入力関連データビット（ＩＤＢ）のコンピュータシステムへの入力を許可するステップであって、前記ＩＤＢが個人識別子と関連データとを具え、前記関連データが、１又はそれ以上の関連する個人のデータと関係の性質と、を具えるステップと；
前記ＩＤＢを処理し、それに含まれるデータを統合して、前記データレコードをデータを入力する個人又は関連する個人のいずれかである、各識別された個人用の個人識別子データセット（ＩＤＳ）の形態で生成するステップであって；
前記ＩＤＳの各々が、前記識別された各個人用の個人識別子と、関連する各個人についての個人識別子及び関連データの両方を含む関連する個人データとを含み、１又はそれ以上の第２の個人によってＩＤＢが入力された時に第１の個人と関連するＩＤＳの更新を可能にするステップを具えることを特徴とする方法。
【請求項５】
個人間の関係を識別する方法において：
コンピュータデバイスを通じてネットワークへリンクできるユーザに、個人関連データビット（ＩＤＢ）のコンピュータシステムへの入力を許可するコンピュータネットワーク上で動作するコンピュータシステムを提供するステップであって、前記ＩＤＢの各々が個人識別子と、１又はそれ以上の関連する個人データと、関係の性質と、を含む関係データと、を具えるステップと；
ＩＤＢを処理して個人識別子データセット（ＩＤＳ）を生成するステップであって、各識別された個人のＩＤＳが前記ユーザのうちの１人か前記関連する個人のうちの１人かのＩＤＳであるステップと；
前記ＩＤＳを総て処理して、識別された個人間の関係のタイプを規定する関係データを含むデータベースを構築するステップと；
を具えることを特徴とする方法。
【請求項６】
個人を関連付ける方法において：
ネットワークのユーザに、個人関連データビット（ＩＤＢ）の入力を許可するサーバシステムを提供するステップであって、各ＩＤＢが個人識別子と、１又はそれ以上の関連する個人のデータと関係の性質とを含む関係データと、を具えるステップと；
ＩＤＢを処理して個人識別子データセット（ＩＤＳ）を生成するステップであって、各識別された個人のＩＤＳが前記ユーザのうちの１人か前記関連する個人のうちの１人かのＩＤＳであるステップと；
前記ＩＤＳを総て処理して、前記個人と前記関連する個人との関係のタイプを規定する関係データを含むデータベースを構築するステップと；
を具えることを特徴とする方法。
【請求項７】
コンピュータネットワークのユーザ用仮想識別ドキュメント（ＶＩＤ）を生成する方法であって、このＶＩＤによって、前記ユーザを当該ネットワークの他のユーザが識別できる方法において：
前記ネットワークのユーザに個人関連データビット（ＩＤＢ）の入力を許可するサーバシステムを提供するステップであって、各ＩＤＢが個人識別子と、１又はそれ以上の関連する個人データと関係の性質とを含む関係データと、を具えるステップと；
前記ＩＤＢを処理して個人識別子データセット（ＩＤＳ）を生成するステップであって、識別された個人の各々のＩＤＢが、前記ユーザか前記関連する個人データのいずれかであるステップと；
各々のユーザについて、前記ユーザによって入力されたＩＤＢの少なくとも一部分を前記ネットワークの１又はそれ以上のその他のユーザによって入力された、１又はそれ以上のＩＤＢを通じて検証して、前記ユーザについてのユーザ特有の検証ＩＤＳを構築するステップと；
各ユーザにそのユーザ特有の検証ＩＤＳをそのＶＩＤとして使用することを許可するステップと；
を具えることを特徴とする方法。
【請求項８】
コンピュータネットワーク上で通信する方法において、少なくとも１の第２通信ユーザに対して、仮想識別コード（ＶＩＤ）を送信する少なくとも１の第１通信ユーザを具え；前記ＶＩＤがこの少なくとも１の第１ユーザによって入力された個人関連データビット（ＩＤＢ）から生成され、前記ＩＤＢの各々が、個人識別子と、１又はそれ以上の関連する個人データと関係の性質と、を具える関係データと、を具え、前記ＩＤＢを処理して個人識別子データセット（ＩＤＳ）を生成し、前記ユーザか前記関連する個人のうちのいずれかであり、各識別された個人用のものであり、前記ユーザによって入力された前記ＩＤＳの少なくとも一部分が、前記ネットワークの１又はそれ以上のその他のユーザによって入力された１又はそれ以上のＩＤＢを通じて検証され、このような検証後に前記ＩＤＳを基づいて前記ＶＩＤを生成することを特徴とする方法。
【請求項９】
コンピュータネットワーク上でトランザクションを行う方法において、このネットワークのユーザが、自身のアイデンティティを検証するための仮想識別コード（ＶＩＤ）を送信し、当該ＶＩＤがこの少なくとも１の第１ユーザによって入力される個人関連データビット（ＩＤＢ）から生成され、前記ＩＤＢの各々が、個人識別子と、１又はそれ以上の関連する個人のデータと関係の性質とを具える関係データと、を具え、前記ＩＤＢを処理して個人識別子データセット（ＩＤＳ）を生成し、各識別された個人のＩＤＳが前記ユーザか前記関連する個人データのいずれかであり、前記ユーザによって入力されたＩＤＳの少なくとも一部分が、前記ネットワークの１又はそれ以上のその他のユーザによって入力された１又はそれ以上のＩＤＢを通じて検証され、前記ＶＩＤを構築することを特徴とする方法。
【請求項１０】
人口統計調査の方法において：
（ａ）請求項１に記載のデータベースを構築するステップと；
（ｂ）このデータベースから人口統計データを抽出するステップと；
を具えることを特徴とする方法。
【請求項１１】
請求項１の方法により生成されるデータベース。
【請求項１２】
コンピュータネットワーク上で動作するコンピュータシステムにおいて：
このネットワーク上で通信するクライアントによってアクセス可能な前記ネットワークにリンクされる１又はそれ以上のシステムサーバを具え；
前記１又はそれ以上のサーバが、クライアントによって入力された複数の個人関連データビット（ＩＤＢ）を受信するように構築されており、当該ＩＤＢが個人識別子と関係データを含み、当該関係データが１又はそれ以上の関連する個人データと関係の性質とを具えて個人識別子データセット（ＩＤＳ）を生成し、各識別された個人データ用の１のＩＤＳが、前記ユーザか前記関連する個人データのいずれかであり、前記ＩＤＳを総て処理して、識別された個人のＩＤＳと、関連ウェブ中の当該個人の位置を含むデータベースを構築することを特徴とするシステム。
【国際調査報告】
2009524142.tif 000012
2009524142.tif 000013
2009524142.tif 000014
2009524142.tif 000015
2009524142.tif 000016